(57)【特許請求の範囲】
【請求項１】
上部に吸込口が形成され、前面部下側に吹出口が形成されたケーシングと、
前記ケーシング内の前記吸込口の下流側に設けられた軸流型又は斜流型のファンと、
前記ケーシング内の前記ファンの下流側であって、前記吹出口の上流側に設けられ、前記ファンから吹き出された空気と冷媒とが熱交換する熱交換器と、
を備え、
前記ケーシングには、前記熱交換器を通過した空気を前記吹出口へ導く風路となるノズルが形成され、
前記熱交換器は、
前面側に配置された前面側熱交換器と、
背面側に配置された背面側熱交換器と、
を有し、
前記ケーシングを前面側から背面側にかけて切断した縦断面において、
前記熱交換器は、前記前面側熱交換器と前記背面側熱交換器とがΛ型となるように構成され、
前記ノズルの入り口側の開口は、前記前面側熱交換器の下端に設置された前面側ドレンパンと前記背面側熱交換器の下端に設置された背面側ドレンパンとの間で形成され、
前記ノズルは、前記入り口側の開口長さｄ１が出口側の開口長さｄ２よりも大きくなっており、
前記前面側熱交換器を流れる空気の流量は、前記背面側熱交換器を流れる空気の流量よりも小さくなるように構成され、
ファンが前記熱交換器の上流側のみに備えられている空気調和機の室内機。
【請求項２】
上部に吸込口が形成され、前面部下側に吹出口が形成されたケーシングと、
前記ケーシング内の前記吸込口の下流側に設けられた軸流型又は斜流型のファンと、
前記ケーシング内の前記ファンの下流側であって、前記吹出口の上流側に設けられ、前記ファンから吹き出された空気と冷媒とが熱交換する熱交換器と、
を備え、
前記ケーシングには、前記熱交換器を通過した空気を前記吹出口へ導く風路となるノズルが形成され、
前記熱交換器は、
前面側に配置された前面側熱交換器と、
背面側に配置された背面側熱交換器と、
を有し、
前記ケーシングを前面側から背面側にかけて切断した縦断面において、
前記熱交換器は、前記前面側熱交換器と前記背面側熱交換器とがΛ型となるように構成され、
前記ノズルの入り口側の開口は、前記前面側熱交換器の下端に設置された前面側ドレンパンと前記背面側熱交換器の下端に設置された背面側ドレンパンとの間で形成され、
前記ノズルは、前記入り口側の開口長さｄ１が出口側の開口長さｄ２よりも大きくなっており、
前記前面側熱交換器の伝熱面積と前記背面側熱交換器の伝熱面積とが異なり、
前記ファンは、
前記前面側熱交換器の伝熱面積及び前記背面側熱交換器の伝熱面積に応じた風量を、前記前面側熱交換器及び前記背面側熱交換器に供給するように配置され、
ファンが前記熱交換器の上流側のみに備えられている空気調和機の室内機。
【請求項３】
前記縦断面において前記ノズルの背面側端部の形状となる背面側曲線は、その全体又は一部が前記ケーシングの前面側に凸となる形状に形成されている請求項１又は請求項２に記載の空気調和機の室内機。
【請求項４】
前記ケーシングを前面側から背面側にかけて切断した横断面で見た場合、
前記ノズルは、
前記ノズルを流れる気流の風速分布に応じて、前記ケーシングの左右方向に沿って形状が変化している請求項１〜請求項３のいずれか一項に記載の空気調和機の室内機。
【請求項５】
前記横断面において、
前記ノズルは、
前後方向の幅が変化している請求項４に記載の空気調和機の室内機。
【請求項６】
前記横断面において、
前記ノズルは、
前後方向の位置が変化している請求項４又は請求項５に記載の空気調和機の室内機。
【請求項７】
前記ファンよりも小型の小型ファンをさらに備え、
該小型ファンは、
前記ファンからの送風のみでは風速が小さくなる領域へ気流を供給する位置に設置されている請求項１〜請求項６のいずれか一項に記載の空気調和機の室内機。
【請求項８】
平面視において、
前記小型ファンは、前記ケーシングの端部及び隣接する前記ファンの間のうちの少なくとも１つの位置に配置されている請求項７に記載の空気調和機の室内機。
【請求項９】
側面視において、
前記前面側熱交換器の長手方向の長さは、前記背面側熱交換器の長手方向の長さよりも短い請求項１〜請求項８のいずれか一項に記載の空気調和機の室内機。
【請求項１０】
前記前面側熱交換器の圧力損失は、前記背面側熱交換器の圧力損失よりも大きい請求項１〜請求項９のいずれか一項に記載の空気調和機の室内機。
【請求項１１】
前記ファンの回転軸は、前記前面側熱交換器及び前記背面側熱交換器のうち、伝熱面積の大きい方へ向かうように傾斜して配置されたことを特徴とする請求項２に記載の空気調和機の室内機。
【請求項１２】
前記ファンの回転軸は、前記前面側熱交換器及び前記背面側熱交換器のうち、伝熱面積の大きい方の上方に配置されたことを特徴とする請求項２に記載の空気調和機の室内機。
【請求項１３】
請求項１〜請求項１２のいずれか一項に記載の室内機を備えた空気調和機。
【発明の詳細な説明】
【技術分野】
【０００１】
本発明は、ファンと熱交換器とをケーシング内に収納した室内機、及びこの室内機を備えた空気調和機に関するものである。
【背景技術】
【０００２】
従来から、ファンと熱交換器とをケーシング内に収納した空気調和機が存在する。そのようなものとして、「空気入り口及び空気出口を有する本体ケーシングと、該本体ケーシング内に配設された熱交換器とからなる空気調和機であって、前記空気出口には、複数の小型プロペラファンを前記空気出口の幅方向に併設して構成されたファンユニットを配設した空気調和機」が提案されている（例えば、特許文献１参照）。この空気調和機は、空気出口にファンユニットを配設し、気流の方向制御を容易にするとともに、吸込口にも同一構成のファンユニットを設けることで、風量増加による熱交換器性能を向上するようにしている。
【先行技術文献】
【特許文献】
【０００３】
【特許文献１】特開２００５−３２４４号公報（段落００１２，００１３，００１８〜００２１、図５及び図６）
【発明の概要】
【発明が解決しようとする課題】
【０００４】
特許文献１のような空気調和機は、ファンユニット（送風機）の上流側に熱交換器が設けられている。このため、空気出口側に可動ファンユニットを設けているため、ファン可動に伴う風路変化や非対称吸い込みによる流れの不安定性から、風量低下や逆流等を引き起こす原因となる。さらに、流れの乱れた空気がファンユニットに流入することとなる。
したがって、特許文献１のような空気調和機は、流速が速くなるファンユニットの羽部（プロペラ）外周部に流入する空気の流れが乱れ、ファンユニット自体が騒音の音源となってしまう（騒音悪化の原因となってしまう）という問題点があった。
さらに、特許文献１に記載の空気調和機は、吹出口近傍の形状について考慮されていない。このため、圧力損失が増大したり、吹出口近傍の風速分布にバラツキが生じてしまうという問題点があった。【０００５】
本発明は、上述のような課題の少なくとも１つを解決するためになされたものであり、圧力損失の増大を抑制でき、吹出口近傍の風速分布のバラツキを抑制できる室内機、及びこの室内機を備えた空気調和機を得ることを目的とする。
【課題を解決するための手段】
【０００６】
本発明に係る空気調和機の室内機は、上部に吸込口が形成され、前面部下側に吹出口が形成されたケーシングと、ケーシング内の吸込口の下流側に設けられた軸流型又は斜流型のファンと、ケーシング内のファンの下流側であって、吹出口の上流側に設けられ、ファンから吹き出された空気と冷媒とが熱交換する熱交換器と、を備え、ケーシングには、熱交換器を通過した空気を吹出口へ導く風路となるノズルが形成され、熱交換器は、前面側に配置された前面側熱交換器と、背面側に配置された背面側熱交換器と、を有し、ケーシングを前面側から背面側にかけて切断した縦断面において、熱交換器は、前面側熱交換器と背面側熱交換器とがΛ型となるように構成され、ノズルの入り口側の開口は、前面側熱交換器の下端に設置された前面側ドレンパンと背面側熱交換器の下端に設置された背面側ドレンパンとの間で形成され、ノズルは、入り口側の開口長さｄ１が出口側の開口長さｄ２よりも大きくなっており、前面側熱交換器を流れる空気の流量は、背面側熱交換器を流れる空気の流量よりも小さくなるように構成され、ファンが熱交換器の上流側のみに備えられているものである。
また、本発明に係る空気調和機の室内機は、上部に吸込口が形成され、前面部下側に吹出口が形成されたケーシングと、ケーシング内の吸込口の下流側に設けられた軸流型又は斜流型のファンと、ケーシング内のファンの下流側であって、吹出口の上流側に設けられ、ファンから吹き出された空気と冷媒とが熱交換する熱交換器と、を備え、ケーシングには、熱交換器を通過した空気を吹出口へ導く風路となるノズルが形成され、熱交換器は、前面側に配置された前面側熱交換器と、背面側に配置された背面側熱交換器と、を有し、ケーシングを前面側から背面側にかけて切断した縦断面において、熱交換器は、前面側熱交換器と背面側熱交換器とがΛ型となるように構成され、ノズルの入り口側の開口は、前面側熱交換器の下端に設置された前面側ドレンパンと背面側熱交換器の下端に設置された背面側ドレンパンとの間で形成され、ノズルは、入り口側の開口長さｄ１が出口側の開口長さｄ２よりも大きくなっており、前面側熱交換器の伝熱面積と背面側熱交換器の伝熱面積とが異なり、ファンは、前面側熱交換器の伝熱面積及び背面側熱交換器の伝熱面積に応じた風量を、前面側熱交換器及び背面側熱交換器に供給するように配置され、ファンが熱交換器の上流側のみに備えられているものである。
【０００７】
また、本発明に係る空気調和機は、上記の室内機を備えたものである。
【発明の効果】
【０００８】
本発明においては、ノズルの形状をｄ１＞ｄ２とすることにより、熱交換器を通過した空気が通る風路が大きくなる。このため、熱交換器に生じる風速分布のバラツキが緩和されると共に、室内機全体の圧力損失の低減が可能となる。さらに、ノズルの入口付近に生じていた風速分布のバラツキ（例えば偏り）を、縮流する効果によって均一化し、吹出口に案内することができる。
【図面の簡単な説明】
【０００９】
【図１】本発明の実施の形態１に係る空気調和機の室内機を示す縦断面図である。
【図２】本発明の実施の形態１に係る空気調和機の室内機を示す外観斜視図である。
【図３】本発明の実施の形態１に係る室内機を前面右側から見た斜視図である。
【図４】本発明の実施の形態１に係る室内機を背面右側から見た斜視図である。
【図５】本発明の実施の形態１に係る室内機を前面左側から見た斜視図である。
【図６】本発明の実施の形態１に係るドレンパンを示す斜視図である。
【図７】本発明の実施の形態１に係る室内機の結露発生位置を示す縦断面図である。
【図８】本発明の実施の形態１に係る信号処理装置を示す構成図である。
【図９】本発明の実施の形態１に係る空気調和機の室内機の別の一例を示す縦断面図である。
【図１０】本発明の実施の形態１に係る室内機のノズル内の気流を説明するための説明図（縦断面図）である。
【図１１】本発明の実施の形態２に係る室内機を示す縦断面図である。
【図１２】本発明の実施の形態２に係る室内機の別の一例を示す縦断面図である。
【図１３】本発明の実施の形態１に係る室内機の内部で発生する気流を説明するための説明図である。
【図１４】本発明の実施の形態１に係る室内機の内部で発生する気流を説明するための説明図である。
【図１５】本発明の実施の形態３に係る室内機のノズル形状の一例を示す説明図である。
【図１６】本発明の実施の形態３に係る室内機のノズル形状の別の一例を示す説明図である。
【図１７】本発明の実施の形態３に係る室内機のノズル形状のさらに別の一例を示す説明図である。
【図１８】本発明の実施の形態４に係る室内機を示す平面断面図である。
【図１９】本発明の実施の形態４に係る室内機の別の一例を示す平面断面図である。
【図２０】本発明の実施の形態５に係る室内機を示す縦断面図である。
【図２１】本発明の実施の形態６に係る室内機を示す縦断面図である。
【図２２】本発明の実施の形態７に係る室内機を示す縦断面図である。
【図２３】本発明の実施の形態８に係る室内機を示す縦断面図である。
【図２４】本発明の実施の形態９に係る室内機を示す縦断面図である。
【図２５】本発明の実施の形態１０に係る室内機を示す縦断面図である。
【図２６】本発明の実施の形態１１に係る室内機を示す縦断面図である。
【図２７】本発明の実施の形態１２に係る室内機を示す縦断面図である。
【図２８】本発明の実施の形態１３に係る室内機を示す縦断面図である。
【図２９】本発明の実施の形態１４に係る室内機を示す縦断面図である。
【図３０】熱交換器５０の構成例を説明するための概略図である。
【図３１】本発明の実施の形態１５に係る室内機の縦断面図である。
【図３２】本発明の実施の形態１６に係る室内機を示す縦断面図である。
【図３３】本発明の実施の形態１６に係る室内機の別の一例を示す縦断面図である。
【図３４】本発明の実施の形態１７に係る室内機の縦断面図である。
【図３５】本発明の実施の形態１６に係る室内機の内部で発生する気流を説明するための説明図（縦断面図）である。
【図３６】本発明の実施の形態１６に係る室内機の内部で発生する気流を説明するための説明図（縦断面図）である。
【図３７】本発明の実施の形態１８に係る室内機を示す縦断面図である。
【図３８】本発明の実施の形態２０に係る室内機を示す縦断面図である。
【図３９】本発明の実施の形態２０に係る室内機を示す斜視図である。
【図４０】本発明の実施の形態２１に係る室内機を示す縦断面図である。
【図４１】本発明の実施の形態２２に係る室内機を示す斜視図である。
【図４２】本発明の実施の形態２３に係る室内機を示す斜視図である。
【図４３】本発明の実施の形態２４に係る室内機を示す斜視図である。
【図４４】本発明の実施の形態２４に係る室内機を示す縦断面図である。
【図４５】本発明の実施の形態２４に係る室内機の別の一例を示す縦断面図である。
【図４６】本発明の実施の形態２５に係る室内機を示す斜視図である。
【図４７】本発明の実施の形態２６に係る室内機を示す縦断面図である。
【図４８】本発明の実施の形態２６に係る室内機を示す斜視図である。
【図４９】本発明の実施の形態２７に係る室内機を示す縦断面図である。
【図５０】本発明の実施の形態２８に係る室内機を示す斜視図である。
【図５１】本発明の実施の形態２９に係る室内機を示す斜視図である。
【図５２】本発明の実施の形態２９に係る室内機を示す縦断面図である。
【図５３】本発明の実施の形態２９に係る室内機の別の一例を示す縦断面図である。
【図５４】本発明の実施の形態３０に係る室内機を示す斜視図である。
【図５５】本発明の実施の形態３１に係る室内機を示す斜視図である。
【図５６】本発明の実施の形態３１に係る室内機におけるファン回転方向とケーシング内に発生する気流との関係を示す説明図である。
【図５７】本発明の実施の形態３１に係る室内機の平面断面図である。
【図５８】本発明の実施の形態３１に係る室内機の平面断面図である。
【図５９】本発明の実施の形態３２に係る室内機の平面断面図である。
【図６０】本発明の実施の形態３３に係る室内機の平面断面図である。
【図６１】本発明の実施の形態３４に係る室内機の平面断面図である。
【図６２】本発明の実施の形態３５に係る室内機の縦断面図である。
【発明を実施するための形態】
【００１０】
以下、本発明に係る空気調和機（より詳しくは、空気調和機の室内機）の具体的な実施の形態について説明する。なお、実施の形態１では、空気調和機の室内機を構成する各ユニットの基本構成について説明する。また、実施の形態２以降において、各ユニットの詳細構成又は別の実施例について説明する。また、以下の各実施の形態では、壁掛け型の室内機を例に本発明を説明する。また、各実施の形態で示す図では、各ユニット（又は各ユニットの構成部材）の形状や大きさ等が一部異なる場合もある。
【００１１】
実施の形態１．
＜基本構成＞
図１は、本発明の実施の形態１に係る空気調和機の室内機（室内機１００と称する）を示す縦断面図である。また、図２は、この室内機を示す外観斜視図である。なお、本実施の形態１及び後述する実施の形態では、図１の左側を室内機１００の前面側として説明する。以下、図１及び図２に基づいて、室内機１００の構成について説明する。
【００１２】
（全体構成）
この室内機１００は、冷媒を循環させる冷凍サイクルを利用することで、室内等の空調対象域に空調空気を供給するものである。室内機１００は、主に、室内空気を内部に吸い込むための吸込口２及び空調空気を空調対象域に供給するための吹出口３が形成されているケーシング１と、このケーシング１内に収納され、吸込口２から室内空気を吸い込み、吹出口３から空調空気を吹き出すファン２０と、ファン２０から吹出口３までの風路に配設され、冷媒と室内空気とで熱交換することで空調空気を作り出す熱交換器５０と、を有している。そして、これらの構成要素によりケーシング１内に風路（矢印Ｚ）が連通されている。吸込口２は、ケーシング１の上部に開口形成されている。吹出口３は、ケーシング１の下部（より詳しくは、ケーシング１の前面部下側）に開口形成されている。ファン２０は、吸込口２の下流側でかつ、熱交換器５０の上流側に配設されており、例えば軸流ファン又は斜流ファン等で構成されている。
【００１３】
また、室内機１００には、ファン２０の回転数、及び後述する上下ベーン７０及び左右ベーン８０の向き（角度）等を制御する制御装置２８１を備えている。なお、本実施の形態１及び後述する各実施の形態に示す図面には、制御装置２８１の図示を省略する場合もある。
【００１４】
このように構成された室内機１００においては、ファン２０が熱交換器５０の上流側に設けられているので、吹出口３にファン２０が設けられている従来の空気調和機の室内機と比べ、吹出口３から吹き出される空気の旋回流の発生や風速分布のバラツキの発生を抑制することができる。このため、空調対象域への快適な送風が可能となる。また、吹出口３にファン等の複雑な構造物がないため、冷房運転時に暖気と冷気の境界で生じる結露の対策も容易となる。さらに、ファンモーター３０が空調空気である冷気や暖気にさらされることがないため、長時間の運転寿命を提供することができる。
【００１５】
（ファン）
一般的に、空気調和機の室内機は設置スペースに制約があるため、ファンを大きくできないことが多い。このため、所望の風量を得るために、適度な大きさのファンを複数並列に配置する。本実施の形態１に係る室内機１００は、図２に示すように、ケーシング１の長手方向（換言すると、吹出口３の長手方向）に沿って、３個のファン２０が並列に配置されている。現在の一般的な空気調和機の室内機の寸法において所望の熱交換能力を得るには、ファン２０はおよそ２個〜４個が好ましい。本実施の形態１に係る室内機においては、ファン２０はすべて同一形状で構成され、動作回転数をすべて等しく運転することにより全てのファン２０でほぼ等しい送風量を得ることができる。
【００１６】
このように構成することにより、必要風量や室内機１００内部の通風抵抗に応じてファン２０の個数、形状及び大きさ等を組合せることで、多様なスペックの室内機１００に対応した最適ファン設計が可能となる。
【００１７】
（ベルマウス）
本実施の形態１に係る室内機１００には、ファン２０の周りに、ダクト上のベルマウス５が配置されている。ベルマウス５は、ファンへの吸気と排気を滑らかに誘導するためのものである。図１に示すように、本実施の形態１に係るベルマウス５は、平面視において略円形状をしている。また、縦断面において、本実施の形態１に係るベルマウス５は次のような形状をしている。上部５ａは、その端部が上方に向かって広がる略円弧形状をしている。中央部５ｂは、ベルマウスの直径が一定となったストレート部分となっている。下部５ｃは、その端部が下方に向かって広がる略円弧形状をしている。そして、ベルマウス５の上部５ａの端部（吸い込み側の円弧部分）で吸込口２を形成している。
本実施の形態１の図１で示したベルマウス５は、ファン２０の羽根車の高さより高く構成されたダクト形状となっているが、それに限定したものではなく、ベルマウス５の高さがファン２０の羽根車の高さより低く構成されている半開放型のベルマウスでもよい。さらに、ベルマウス５は、図１に示す５ｂのストレート部分がなく、端部の５ａ，５ｃのみで構成されていてもよい。
【００１８】
なお、ベルマウス５は、部品点数の削減や強度向上のため、例えばケーシング１と一体で形成してもよい。また例えば、ベルマウス５、ファン２０及びファンモーター３０等でモジュール化し、これらとケーシング１を着脱可能な構成として、メンテナンス性を向上してもよい。
【００１９】
また、本実施の形態１においては、ベルマウス５の上部５ａの端部（吸い込み側の円弧部分）は、ベルマウス５の開口面の周方向に対して、一様形状で構成されている。つまり、ファン２０の回転軸２０ａを中心とした回転方向に対して、ベルマウス５は切り欠きやリブ等の構造が無く、軸対称性を有した一様な形状をしている。
【００２０】
このようにベルマウス５を構成することにより、ファン２０の回転に対してベルマウス５の上部５ａの端部（吸い込み側の円弧部分）が一様な形状をしているので、ファン２０の吸込み流れとしても一様な流れが実現される。このため、ファン２０の吸込み流れの偏流によって発生する騒音を低減することができる。
【００２１】
（仕切り板について）
図２に示すように、本実施の形態１に係る室内機１００は、隣接したファン２０の間に、仕切り板９０が設けられている。これら仕切り板９０は、熱交換器５０とファン２０の間に設置されている。つまり、熱交換器５０とファン２０の間の風路が、複数の風路（本実施の形態１では３つ）に分割されている。仕切り板９０は、熱交換器５０とファン２０の間に設置されるため、熱交換器５０に接する側の端部が熱交換器５０に沿った形状となっている。より詳しくは、図１に示すように、熱交換器５０は、室内機１００の前面側から背面側にかけての縦断面（つまり、室内機１００を右側から見た縦断面。以下、右側縦断面と称する）において、略Λ型に配置されている。このため、仕切り板９０の熱交換器５０側端部も略Λ型となっている。
【００２２】
なお、仕切り板９０のファン２０側端部の位置は、例えば次のように決定すればよい。隣接するファン２０が吸込側において互いに影響を生じない程度に十分離れている場合、仕切り板９０のファン２０側の端部は、ファン２０の出口面までとすればよい。しかし、隣接するファン２０が吸込側において互いに影響を及ぼす程度に近づいている場合で、さらにベルマウス５の上部５ａの端部（吸い込み側の円弧部分）の形状が十分に大きく形成できる場合、仕切り板９０のファン２０側の端部は、隣接する風路に影響を与えないように（隣接するファン２０が吸込側において互いに影響を及ぼさないように）、ファン２０の上流側（吸入側）まで延設してもよい。
【００２３】
また、仕切り板９０は、種々の材質で形成することができる。例えば、スチールやアルミ等の金属で仕切り板９０を形成してもよい。また例えば、樹脂等で仕切り板９０を形成してもよい。ただし、熱交換器５０は暖房運転のときに高温となるため、仕切り板９０が樹脂等のような低融点の材質で形成されている場合、仕切り板９０と熱交換器５０との間にわずかな空間を形成するとよい。仕切り板９０がアルミやスチール等の融点が高い材質の場合、仕切り板９０を熱交換器５０と接するように配置してもよい。熱交換器５０が例えばフィンチューブ型熱交換器の場合、熱交換器５０のフィン間に仕切り板９０を挿入してもよい。
【００２４】
上述したように、熱交換器５０とファン２０の間の風路が、複数の風路（本実施の形態１では３つ）に分割されている。この風路内、つまり、仕切り板９０やケーシング１等に吸音材を設けて、ダクト内で生じる騒音を低減することもできる。
【００２５】
また、これら分割された風路は、平面視において、一辺がＬ１及びＬ２となった略四角形状に形成されている。つまり、分割された風路の幅が、Ｌ１及びＬ２となっている。このため、例えば、Ｌ１，Ｌ２で形成された略四角形状の内部に設置されたファン２０が生じる風量は、確実にファン２０の下流にあるＬ１，Ｌ２で囲まれた領域の熱交換器５０を通過する。
【００２６】
このようにケーシング１内の風路を複数の風路に分割することにより、ファン２０が下流に作る流れ場が旋回成分を有していても、各ファン２０から吹き出された空気が室内機１００の長手方向（図１紙面直交方向）に自由に移動できなくなる。このため、ファン２０が吹き出した空気は、このファン２０の下流にあるＬ１，Ｌ２で囲まれた領域の熱交換器５０に通過させることが可能となる。その結果として、熱交換器５０全体に流入する室内機１００の長手方向（図１紙面直交方向）の風量分布のバラツキを抑制し、高い熱交換性能を有すことができる。また、ケーシング１内を仕切り板９０で分断することで、互いに隣接したファン２０同士において、隣接したファン２０の発生する旋回流との干渉を防ぐことができる。このため、旋回流同士の干渉による流体のエネルギーのロスを抑制することができ、風速分布の改善と合わせて、室内機１００の圧力損失低減が可能となる。なお、各仕切り板９０は一枚の板で形成されている必要はなく、複数の板で形成されていてもよい。例えば、仕切り板９０を前面側熱交換器５１側と背面側熱交換器５５側で二分割してもよい。言うまでもなく仕切り板９０を構成する各板どうしの接合箇所には隙間はない方が好ましい。仕切り板９０を複数に分割することにより、仕切り板９０の組み付け性が向上する。
【００２７】
（ファンモーター）
ファン２０はファンモーター３０で回転駆動される。用いられるファンモーター３０は、インナーローター型でもよいし、アウターローター型でもよい。アウターローター型のファンモーター３０の場合には、ローターをファン２０のボス２１と一体にした構造（ボス２１にローターを持たせる）のものも用いられる。また、ファンモーター３０の寸法をファン２０のボス２１の寸法よりも小さくすることで、ファン２０の生成する気流に損失を与えることを防止できる。さらに、ボス２１の内部にモーターを配設することで、軸方向寸法も小さくすることができる。ファンモーター３０とファン２０を着脱容易な構造とすることにより、メンテナンス性も向上する。
【００２８】
なお、ファンモーター３０として比較的コストの高いＤＣブラシレスモーターを用いることにより、効率の向上、長寿命化及び制御性の向上を図ることができるが、他の形式のモーターを採用しても空気調和機としての一次機能が満足されることは言うまでもない。  また、ファンモーター３０駆動用の回路は、ファンモーター３０と一体にしてもよいし、外部で構成して防塵、防火対策を施すこともできる。
【００２９】
ファンモーター３０は、モーターステイ１６により、ケーシング１に取り付けられている。さらに、ファンモーター３０をＣＰＵ冷却等に用いられるボックス型（ファン２０、筐体、ファンモーター３０、ベルマウス５、及びモーターステイ１６等が一体でモジュール化されているもの）とし、ケーシング１と着脱可能な構造とすれば、メンテナンス性が向上し、ファン２０のチップクリアランスの精度も高くすることができる。一般に、チップクリアランスが狭い方が、送風性能が高く好ましい。
【００３０】
なお、ファンモーター３０の駆動回路は、ファンモーター３０内部に構成しても良いし、外部にあってもよい。
【００３１】
（モーターステイ）
モーターステイ１６は、固定部材１７及び支持部材１８を備えている。固定部材１７は、ファンモーター３０が取り付けられるものである。支持部材１８は、固定部材１７をケーシング１へ固定するための部材である。支持部材１８は、例えば棒状のものであり、固定部材１７の外周部から例えば放射状に延設されている。図１に示すように、本実施の形態１に係る支持部材１８は、およそ水平方向に延設されている。なお、支持部材１８は、翼形状や板形状として静翼効果を与えてもよい。
【００３２】
（熱交換器）
本実施の形態１に係る室内機１００の熱交換器５０は、ファン２０の風下側に配置されている。この熱交換器５０には、例えばフィンチューブ型熱交換器等を用いるとよい。熱交換器５０は、図１に示すように、右側縦断面において、対称線５０ａで分断されている。対称線５０ａは、この断面における熱交換器５０の設置範囲を、略中央部において左右方向に分断するものである。つまり、前面側熱交換器５１は対称線５０ａに対して前面側（図１の紙面左側）に、背面側熱交換器５５は対称線５０ａに対して背面側（図１の紙面右側）に、それぞれ配置されている。そして、前面側熱交換器５１及び背面側熱交換器５５は、前面側熱交換器５１と背面側熱交換器５５との間の間隔が空気の流れ方向に対して広がるように、つまり右側縦断面において熱交換器５０の断面形状が略Λ型となるように、ケーシング１内に配置されている。つまり、前面側熱交換器５１及び背面側熱交換器５５は、ファン２０から供給される空気の流れ方向に対して傾斜を有するように配置されているのである。
【００３３】
さらに、熱交換器５０は、背面側熱交換器５５の風路面積が前面側熱交換器５１の風路面積よりも大きくなっていることを特徴としている。つまり、熱交換器５０は、背面側熱交換器５５の風量が前面側熱交換器５１の風量よりも大きくなっている。本実施の形態１では、右側縦断面において、背面側熱交換器５５の長手方向の長さが前面側熱交換器５１の長手方向長さよりも長くなっている。これにより、背面側熱交換器５５の風路面積は、前面側熱交換器５１の風路面積よりも大きくなっている。なお、前面側熱交換器５１及び背面側熱交換器５５のその他の構成（図１における奥行き方向の長さ等）は、同じとなっている。つまり、背面側熱交換器５５の伝熱面積は、前面側熱交換器５１の伝熱面積よりも大きくなっている。また、ファン２０の回転軸２０ａは、対称線５０ａの上方に設置されている。
【００３４】
このように熱交換器５０を構成することにより、吹出口にファンが設けられている従来の空気調和機の室内機と比べ、吹出口３から吹き出される空気の旋回流の発生や風速分布の発生を抑制することができる。また、このように熱交換器５０を構成することにより、背面側熱交換器５５の風量が前面側熱交換器５１の風量よりも大きくなる。そして、この風量差により、前面側熱交換器５１及び背面側熱交換器５５のそれぞれを通過した空気が合流した際、この合流した空気は前面側（吹出口３側）へ曲がることとなる。このため、吹出口３近傍で気流を急激に曲げる必要が無くなり、吹出口３近傍での圧力損失を低減することができる。
【００３５】
また、本実施の形態１に係る室内機１００においては、背面側熱交換器５５から流出する空気の流れ方向が、背面側から前面側への流れとなる。このため、本実施の形態１に係る室内機１００は、右側縦断面において熱交換器５０を略ｖ型に配置する場合と比べて、熱交換器５０を通過した後の空気の流れをより曲げやすくなる。
【００３６】
室内機１００は、ファン２０を複数個有するため、重量が重くなりがちである。室内機１００が重くなると、室内機１００を据付けするための壁面の強度が必要とされ、据付け上の制約となる。このため、熱交換器５０の軽量化を図ることが好ましい。また、室内機１００は、熱交換器５０の上流側にファン２０を配置するので、室内機１００の高さ寸法が大きくなり、据付け上の制約となりがちである。このため、熱交換器５０を軽量化することが好ましい。また、熱交換器５０を小型化することが好ましい。
【００３７】
そこで、本実施の形態１では、熱交換器５０（前面側熱交換器５１及び背面側熱交換器５５）としてフィンチューブ型熱交換器を用い、熱交換器５０の小型化を図っている。より詳しくは、本実施の形態１に係る熱交換器５０は、所定の間隙を介して積層された複数のフィン５６と、これらフィン５６を貫通する複数の伝熱管５７と、を備えている。本実施の形態１では、ケーシング１の左右方向（図１の紙面直交方向）に、フィン５６を積層している。つまり、伝熱管５７は、ケーシング１の左右方向（図１の紙面直交方向）に沿って、フィン５６を貫通している。また、本実施の形態１では、熱交換器５０の熱交換効率を向上させるため、熱交換器５０の通風方向（フィン５６の幅方向）に伝熱管５７を２列配置している。これら伝熱管５７は、右側縦断面において略千鳥形状に配置されている。
【００３８】
また、伝熱管５７を直径が細い（直径３ｍｍ〜７ｍｍ程度）円管で構成し、伝熱管５７を流れる冷媒（室内機１００及びこの室内機１００を備えた空気調和機に用いられる冷媒）をＲ３２とすることにより、熱交換器５０の小型化を図っている。つまり、熱交換器５０は、伝熱管５７の内部を流れる冷媒と室内空気とがフィン５６を介して熱交換するものである。このため、伝熱管５７を細くした場合、伝熱管の径が太い熱交換器と比べ、同一冷媒循環量では冷媒の圧力損失が大きくなる。しかしながら、Ｒ３２は、Ｒ４１０Ａと比べ、同一温度における蒸発潜熱が大きく、より少ない冷媒循環量で同一能力を発揮できる。このため、Ｒ３２を使用することにより、使用する冷媒量の削減が可能となり、熱交換器５０において圧力損失の低減ができる。したがって、伝熱管５７を細い円管で構成し、冷媒としてＲ３２を用いることにより、熱交換器５０を小型化することができる。
【００３９】
また、本実施の形態１に係る熱交換器５０では、フィン５６及び伝熱管５７をアルミニウム又はアルミニウム合金で形成することにより、熱交換器５０の軽量化を図っている。なお、熱交換器５０の重量が据付状の制約とならない場合、伝熱管５７を銅で構成しても勿論よい。
【００４０】
（フィンガーガード＆フィルター）
また、本実施の形態１に係る室内機１００は、吸込口２に、フィンガーガード１５やフィルター１０が設けられている。フィンガーガード１５は、回転するファン２０に手を触れることができないようにする目的で設置されているものである。このため、フィンガーガード１５の形状は、ファン２０に手を触れることができなければ任意である。例えば、フィンガーガード１５の形状は、格子状でもよいし、多数の大小異なるリングで構成されたような円形状でもよい。また、フィンガーガード１５は、樹脂等の材料で構成しても金属の材料で構成してもよいが、強度が必要な場合、金属で構成することが望ましい。また、フィンガーガード１５は、通風抵抗の低下と強度の保持の観点からできるだけ細く、強い材料や形状が好ましい。フィルター１０は、室内機１００の内部へ粉塵が流入することを防止するために設けられているものである。フィルター１０は、着脱自在にケーシング１に設けられている。また、図示しないが、本実施の形態１に係る室内機１００は、フィルター１０を自動で掃除する自動清掃機構を備えていてもよい。
【００４１】
（風向制御ベーン）
また、本実施の形態１に係る室内機１００は吹出口３に、気流の吹出し方向を制御する機構である上下ベーン７０と左右ベーン（図示せず）が設けられている。
【００４２】
（ドレンパン）
図３は、本発明の実施の形態１に係る室内機を前面右側から見た斜視図である。図４は、この室内機を背面右側から見た斜視図である。図５は、この室内機を前面左側から見た斜視図である。また、図６は、本発明の実施の形態１に係るドレンパンを示す斜視図である。なお、ドレンパンの形状の理解を容易とするため、図３及び図４では室内機１００の右側を断面で示し、図５では室内機１００の左側を断面で示している。
【００４３】
前面側熱交換器５１の下端部（前面側熱交換器５１の前面側端部）の下方には、前面側ドレンパン１１０が設けられている。背面側熱交換器５５の下端部（背面側熱交換器５５の背面側端部）の下方には、背面側ドレンパン１１５が設けられている。なお、本実施の形態１では、背面側ドレンパン１１５とケーシング１の背面部１ｂが一体で形成されている。この背面側ドレンパン１１５には、左側端部及び右側端部の双方に、ドレンホース１１７が接続される接続口１１６が設けられている。なお、接続口１１６の双方へドレンホース１１７を接続する必要はなく、どちらか一方の接続口１１６へドレンホース１１７を接続すればよい。例えば、室内機１００の据付工事の際に室内機１００の右側へドレンホース１１７を引き出したい場合、背面側ドレンパン１１５の右側端部に設けられた接続口１１６へドレンホース１１７を接続し、背面側ドレンパン１１５の左側端部に設けられた接続口１１６はゴムキャップ等で閉塞すればよい。
【００４４】
前面側ドレンパン１１０は、背面側ドレンパン１１５よりも高い位置に配置されている。また、前面側ドレンパン１１０と背面側ドレンパン１１５との間には、左側端部及び右側端部の双方に、ドレンの移動路となる排水路１１１が設けられている。排水路１１１は、前面側の端部が前面側ドレンパン１１０と接続されており、前面側ドレンパン１１０から背面側ドレンパン１１５に向かって下方に傾斜するように設けられている。また、排水路１１１の背面側の端部には、舌部１１１ａが形成されている。排水路１１１の背面側の端部は、背面側ドレンパン１１５の上面に覆い被さるように配置されている。
【００４５】
冷房運転時、熱交換器５０で室内空気が冷却される際、熱交換器５０に結露が発生する。そして、前面側熱交換器５１に付着した露は、前面側熱交換器５１の下端部から滴下し、前面側ドレンパン１１０で回収される。背面側熱交換器５５に付着した露は、背面側熱交換器５５の下端部から滴下し、背面側ドレンパン１１５で回収される。
また、本実施の形態１では背面側ドレンパン１１５よりも高い位置に前面側ドレンパン１１０を設けているので、前面側ドレンパン１１０で回収されたドレンは、背面側ドレンパン１１５の方へ向かって排水路１１１を流れる。そして、このドレンは、排水路１１１の舌部１１１ａから背面側ドレンパン１１５へ滴下し、背面側ドレンパン１１５で回収される。背面側ドレンパン１１５で回収されたドレンは、ドレンホース１１７を通って、ケーシング１（室内機１００）の外部へ排出される。
【００４６】
本実施の形態１のように、背面側ドレンパン１１５よりも高い位置に前面側ドレンパン１１０を設けることにより、両ドレンパンで回収されたドレンを、背面側ドレンパン１１５（最もケーシング１の背面側に配置されたドレンパン）に集めることができる。このため、背面側ドレンパン１１５にドレンホース１１７の接続口１１６を設けることにより、前面側ドレンパン１１０及び背面側ドレンパン１１５で回収されたドレンをケーシング１の外部へ排出することができる。したがって、ケーシング１の前面部等を開けて室内機１００のメンテナンス（熱交換器５０の清掃等）を行う場合等、ドレンホース１１７の接続されたドレンパンを着脱等する必要がなく、メンテナンス等の作業性が向上する。
【００４７】
また、排水路１１１が左側端部及び右側端部の双方に設けられているので、室内機１００が傾いた状態で設置されても、前面側ドレンパン１１０で回収されたドレンを確実に背面側ドレンパン１１５へ導くことができる。また、ドレンホース１１７を接続する接続口が左側端部及び右側端部の双方に設けられているので、室内機１００の据付条件に応じてホースの引き出し方向を選択することができ、室内機１００を設置する際の作業性が向上する。また、排水路１１１が背面側ドレンパン１１５の上方に覆い被さるように配置されているので（つまり、排水路１１１と背面側ドレンパン１１５との間に接続機構が不要となるので）、前面側ドレンパン１１０を着脱することが容易となり、メンテナンス性がより向上する。
【００４８】
なお、排水路１１１の背面側の端部を背面側ドレンパン１１５と接続し、前面側ドレンパン１１０が排水路１１１の上方に覆い被さるように、排水路１１１を配置してもよい。このような構成でも、排水路１１１が背面側ドレンパン１１５の上方に覆い被さるように配置された構成と同様の効果を得ることができる。また、前面側ドレンパン１１０が背面側ドレンパン１１５よりも高い必要は必ずしもなく、前面側ドレンパン１１０と背面側ドレンパン１１５が同じ高さであっても、両ドレンパンで回収したドレンを背面側ドレンパン１１５に接続されたドレンホースから排出することができる。
【００４９】
（ノズル）
また、本実施の形態１に係る室内機１００は、右側縦断面において、ノズル６の入り口側の開口長さｄ１（前面側ドレンパン１１０と背面側ドレンパン１１５部分との間で定義されるドレンパン間の絞り長さｄ１）が、ノズル６の出口側の開口長さｄ２（吹出口３の長さ）よりも大きく構成されている。つまり、室内機１００のノズル６は、ｄ１＞ｄ２となっている（図１参照）。
【００５０】
ノズル６がｄ１＞ｄ２となっているのは、次のような理由のためである。なお、ｄ２は室内機の基本機能の一つである気流の到達性に影響するため、以下では、本実施の形態１に係る室内機１００のｄ２が従来の室内機の吹出口と同程度の長さであるとして説明する。
【００５１】
縦断面におけるノズル６の形状をｄ１＞ｄ２とすることにより、空気の風路が大きくなると共に、上流側に配置された熱交換器５０の角度Ａ（熱交換器５０の下流側における前面側熱交換器５１と背面側熱交換器５５とがなす角度）を大きくすることが可能となる。このため、熱交換器５０に生じる風速分布が緩和されると共に、熱交換器５０の下流の空気の風路を大きく形成できるため、室内機１００全体の圧力損失の低減が可能となる。さらに、ノズル６の入口付近に生じていた風速分布の偏りを、縮流する効果によって均一化し、吹出口３に案内することができる。
【００５２】
例えばｄ１＝ｄ２の場合、ノズル６の入口付近で生じた風速分布の偏り（例えば、背面側に偏った流れ）が、そのまま吹出口３における風速分布の偏りとなる。つまり、ｄ１＝ｄ２の場合、風速分布の偏りを持った状態で、吹出口３から空気が吹き出される。また、例えばｄ１＜ｄ２の場合、前面側熱交換器５１及び背面側熱交換器５５を通過した空気がノズル６の入口付近で合流する際、縮流損失が大きくなってしまう。このため、ｄ１＜ｄ２の場合、吹出口３のディフューズ効果が得られなければ、縮流損失分の損失が発生する。
【００５３】
（ＡＮＣ）
また、本実施の形態１に係る室内機１００は、図１に示すように能動的消音機構が設置されている。
【００５４】
より詳しくは、本実施の形態１に係る室内機１００の消音機構は、騒音検出マイクロホン１６１、制御スピーカー１８１、消音効果検出マイクロホン１９１、及び信号処理装置２０１により構成されている。騒音検出マイクロホン１６１は、ファン２０の送風音を含む室内機１００の運転音（騒音）を検出する騒音検出装置である。この騒音検出マイクロホン１６１は、ファン２０と熱交換器５０との間に配置されている。本実施の形態１では、ケーシング１内の前面部に設けられている。制御スピーカー１８１は、騒音に対する制御音を出力する制御音出力装置である。この制御スピーカー１８１は、騒音検出マイクロホン１６１の下側であって、熱交換器５０の上側に配置されている。本実施の形態１では、ケーシング１内の前面部に、風路の中央を向くように設けられている。消音効果検出マイクロホン１９１は、制御音による消音効果を検出する消音効果検出装置である。この消音効果検出マイクロホン１９１は、吹出口３から出てくる騒音を検出するため、吹出口３近傍に設けられている。また、消音効果検出マイクロホン１９１は、吹出口３から出てくる吹出空気に当たらないように、風流を避けた位置に取り付けられている。信号処理装置２０１は、騒音検出マイクロホン１６１及び消音効果検出マイクロホン１９１の検出結果に基づき、制御スピーカー１８１に制御音を出力させる制御音生成装置である。信号処理装置２０１は、例えば制御装置２８１に収容されている。
【００５５】
図８は、本発明の実施の形態１に係る信号処理装置を示す構成図である。騒音検出マイクロホン１６１、及び消音効果検出マイクロホン１９１から入力された電気信号はマイクアンプ１５１により増幅され、Ａ／Ｄ変換器１５２によりアナログ信号からデジタル信号に変換される。変換されたデジタル信号はＦＩＲフィルター１５８、及びＬＭＳアルゴリズム１５９に入力される。ＦＩＲフィルター１５８では騒音検出マイクロホン１６１で検出した騒音が、消音効果検出マイクロホン１９１が設置されている場所に到達したときの騒音と同振幅・逆位相となるように補正をかけた制御信号を生成し、Ｄ／Ａ変換器１５４によりデジタル信号からアナログ信号に変換された後、アンプ１５５により増幅され、制御スピーカー１８１から制御音として放出される。
【００５６】
空気調和機が冷房運転する場合等、図７に示すように、熱交換器５０と吹出口３の間の領域Ｂは、冷気により温度が低下するため、空気中の水蒸気が水滴となって現れる結露が発生する。このため、室内機１００には、吹出口３付近に水滴が吹出口３から出てこないようにするための水受け等（図示せず）が取り付けられている。なお、熱交換器５０の上流である騒音検出マイクロホン１６１及び制御スピーカー１８１が配置される領域は、冷気により冷やされる領域の上流にあたるため、結露が生じない。
【００５７】
次に室内機１００の運転音の抑制方法について説明する。室内機１００におけるファン２０の送風音を含む運転音（騒音）は、ファン２０と熱交換器５０との間に取り付けられた騒音検出マイクロホン１６１で検出してマイクアンプ１５１、Ａ／Ｄ変換器１５２を介してデジタル信号となり、ＦＩＲフィルター１５８とＬＭＳアルゴリズム１５９に入力される。
【００５８】
ＦＩＲフィルター１５８のタップ係数はＬＭＳアルゴリズム１５９により逐次更新される。ＬＭＳアルゴリズム１５９にてタップ係数は式１（ｈ（ｎ＋１）＝ｈ（ｎ）＋２・μ・ｅ（ｎ）・ｘ（ｎ））に従って更新され、誤差信号ｅがゼロに近づくように最適なタップ係数が更新される。
なお、ｈ：フィルターのタップ係数、ｅ：誤差信号、ｘ：フィルター入力信号、μ：ステップサイズパラメータであり、ステップサイズパラメータμはサンプリングごとのフィルター係数更新量を制御するものである。
【００５９】
このように、ＬＭＳアルゴリズム１５９でタップ係数が更新されたＦＩＲフィルター１５８を通過したデジタル信号は、Ｄ／Ａ変換器１５４にてアナログ信号に変換され、アンプ１５５で増幅され、ファン２０と熱交換器５０との間に取り付けられた制御スピーカー１８１から制御音として室内機１００内の風路に放出される。
【００６０】
一方、室内機１００の下端で、吹出口３から放出される風が当たらないように吹出口３の外側壁方向に取り付けられた消音効果検出マイクロホン１９１には、ファン２０から風路を通って伝播し吹出口３から出てくる騒音に制御スピーカー１８１から放出された制御音を干渉させた後の音が検出される。上述したＬＭＳアルゴリズム１５９の誤差信号には、消音効果検出マイクロホン１９１で検出された音を入力しているため、この干渉後の音がゼロに近づくようにＦＩＲフィルター１５８のタップ係数が更新されることになる。その結果、ＦＩＲフィルター１５８を通過した制御音により吹出口３近傍の騒音を抑制することができる。
【００６１】
このように、能動的消音方法を適用した室内機１００においては、騒音検出マイクロホン１６１と制御スピーカー１８１をファン２０と熱交換器５０との間に配置し、消音効果検出マイクロホン１９１を吹出口３からの風流が当たらない箇所に取り付けている。このため、結露が起きる領域Ｂに能動的消音の必要部材を取り付けなくて済むため、制御スピーカー１８１、騒音検出マイクロホン１６１及び消音効果検出マイクロホン１９１への水滴の付着を防止し、消音性能の劣化やスピーカーやマイクロホンの故障を防ぐことができる。
【００６２】
なお、本実施の形態１で示した騒音検出マイクロホン１６１、制御スピーカー１８１及び消音効果検出マイクロホン１９１の取り付け位置は、あくまでも一例である。例えば、図９に示すように、騒音検出マイクロホン１６１と制御スピーカー１８１と共に、消音効果検出マイクロホン１９１をファン２０と熱交換器５０との間に配置してもよい。また、騒音や制御音により騒音を打ち消した後の消音効果の検出手段としてマイクロホンを例に挙げたが、ケーシングの振動を検知する加速度センサー等で構成されてもよい。また、音を空気流れの乱れとして捉え、騒音や制御音により騒音を打ち消した後の消音効果を、空気流れの乱れとして検出してもよい。つまり、騒音や制御音により騒音を打ち消した後の消音効果の検出手段として、空気流れを検出する流速センサー、熱線プローブ等を用いてもよい。マイクロホンのゲインを上げて、空気流れを検出することも可能である。
【００６３】
また、本実施の形態１では、信号処理装置２０１にてＦＩＲフィルター１５８とＬＭＳアルゴリズム１５９を用いたが、消音効果検出マイクロホン１９１で検出した音をゼロに近づける適応信号処理回路であればよく、能動的消音方法で一般的に使用されているｆｉｌｔｅｒｅｄ−Ｘアルゴリズムを用いたものでもよい。さらに、信号処理装置２０１は適応信号処理ではなく、固定のタップ係数により制御音を生成する構成にしても良い。また、信号処理装置２０１はデジタル信号処理ではなく、アナログ信号処理回路であってもよい。
【００６４】
さらに、本実施の形態１では結露が起こるような空気の冷却を行う熱交換器５０を配置した場合について記載したが、結露が起きない程度の熱交換器５０を配置する場合であっても適用でき、熱交換器５０による結露発生の有無を考慮せずに騒音検出マイクロホン１６１、制御スピーカー１８１及び消音効果検出マイクロホン１９１等の性能劣化を防止できる効果がある。
【００６５】
実施の形態２．
＜ノズル＞
実施の形態１では、右側縦断面において、ノズル６の入り口側の開口長さｄ１がノズル６の出口側の開口長さｄ２よりも大きくなるように、ノズル６を構成していた。そして、これにより、ノズル６の入口付近に生じていた風速分布の偏りを是正していた。この構成に、以下のような構成を追加することにより、ノズル６の入り口付近や出口付近（吹出口３）に生じる風速分布の偏りをさらに是正することができる。なお、本実施の形態２においては、実施の形態１と同一の機能や構成については同一の符号を用いて述べることとする。
【００６６】
本実施の形態２では、実施の形態１に対して、右側縦断面におけるノズル６の形状が異なっている。以下に、本実施の形態２に係るノズル６の形状と、実施の形態１に係るノズル６の形状と、の違いについて詳細に説明する。
【００６７】
図１０は、本発明の実施の形態１に係る室内機のノズル内の気流を説明するための説明図（縦断面図）である。
図１０に示すように、実施の形態１に係るノズル６は、前面側曲線６ｂ及び背面側曲線６ａの双方が背面側に凸形状となっていた。このような構成においては、図１０に示すように、背面側ドレンパン１１５からの気流の回り込みにより、剥離による有効風路の減少、損失、及び吹出口３における風速分布の発生が課題となる場合がある。つまり、実施の形態１のようなノズル６の形状の場合、前面側熱交換器５１を通過する流量に対して、背面側熱交換器５５の通過する流量が大きくなる。そして、背面側熱交換器５５の下端部に位置する背面側ドレンパン１１５の底部を通過した気流が背面側ドレンパン１１５を乗り越えてノズル６に流出する際、流速が大きいために曲がりきれず、背面側曲線６ａの上部（ノズル６の入り口側）で剥離してしまう。背面側熱交換器５５を通過する流量が大きければ大きい程、さらに背面側熱交換器５５の下端部に大きな風速分布が生じていればいる程、上記の剥離領域は大きくなる。
【００６８】
そこで、本実施の形態２では、ノズル６の形状を次のようにしている。
図１１は、本発明の実施の形態２に係る室内機を示す縦断面図である。
本実施の形態２では、ノズル６を構成する背面側曲線６ａを前面側に凸となる曲線で構成している。なお、背面側曲線６ａは、図１１に示すように全体を前面側に凸となる形状としてもよいし、図１２に示すように背面側曲線６ａの一部を前面側に凸となる形状としてもよい。背面側曲線６ａの一部を前面側に凸となる形状とする場合、上述した剥離領域を凸とするのが望ましい。一般的に、上述した剥離領域はノズル６の入り口側（上部）に発生することが多いので、背面側曲線６ａの一部を前面側に凸となる形状とする場合、曲線中央より上流側で凸形状を構成するのが望ましい。また、背面側曲線６ａは、上流側を前面側に凸となる形状とし、下流側を背面側に凸となる形状としてもよい。つまり、右側縦断面における背面側曲線６ａの形状を、全体として略Ｓ字状のような形状としてもよい。
【００６９】
このような構成によれば、背面側ドレンパン１１５を乗り越えてノズル６に流入する流れは、剥離することなく吹出口３に誘導される。さらに、剥離や逆流等がなくなるために、吹出口３における風速分布も改善される。このため、逆流等による露付き対策や気流の方向制御が容易になるので、室内機１００全体での品質改善が可能となる。
【００７０】
実施の形態３．
ケーシング１の長手方向（左右方向）において、ノズル６の前後方向の形状を変更することにより、吹出口３の風速分布の偏りを是正することもできる。なお、本実施の形態３において、特に記述しない項目については実施の形態２と同様とし、同一の機能や構成については同一の符号を用いて述べることとする。
【００７１】
実施の形態１に係る室内機１００は、ケーシング１の長手方向（左右方向）において、ノズル６の形状が一様だった。このようにノズル６を形成した場合、次のような課題が発生する場合がある。
【００７２】
図１３は、本発明の実施の形態１に係る室内機の内部で発生する気流を説明するための説明図である。なお、図１３（ａ）は実施の形態１に係る室内機１００の平面断面図を示しており、図１３（ａ）の下側が室内機１００の前面側となる。また、図１３（ｂ）は図１３（ａ）のＹ−Ｙ断面図を示しており、図１３（ｃ）は図１３（ａ）のＸ−Ｘ断面図を示している。また、図１３では、室内機１００を平面視したときに反時計回りに各ファン２０が回る場合について示している。
【００７３】
図１３（ａ）に示すように、ケーシング１の上部に設けられたファン２０が発生する旋回流の影響により、下流側に配置された熱交換器５０におけるＧ領域の風速が速くなる。（換言すると、風量が多くなる）。熱交換器５０で生じたこの風速分布の偏りは、下流側でも存在することとなる。このため、熱交換器を通過した気流は、このような風速分布を持ったままノズル６に流入することとなる。
【００７４】
つまり、吹出口３付近において、風速分布の偏りが発生することとなる。さらに、実施の形態１に係る室内機１００のような熱交換器５０の配置（右側縦断面略Λ型）にあっては、背面側熱交換器５５を通過する風量が前面側熱交換器５１に対して大きいため、右側縦断面における風速分布は、図１３（ｂ）及び図１３（ｃ）に示すような風速分布になる。より詳しくは、断面Ｙ−Ｙでは、背面側熱交換器５５からの流量が大きいため、ノズル６内での主流の流れは、ノズル６の略中央部又はケーシング１の前面側にやや偏った流れとなる。また、断面Ｘ−Ｘでは、前面側熱交換器５１からの流量が大きいため、ノズル６内での主流の流れは、ケーシング１の背面側にやや偏った流れとなる。
【００７５】
さらに、実施の形態１に係る室内機１００のような熱交換器５０の配置（右側縦断面略Λ型）にあっては、熱交換器５０の上面に沿って空気が流れるため、熱交換器５０に流入する気流の風速分布に偏りが生じる。より詳しくは、各ファン２０が平面視で反時計回りに回転する場合、図１４に示すように、前面側熱交換器５１の右側の下端部近傍（領域Ｊ）の風速が小さくなり、これに伴って風速の大きい領域（領域Ｋ）も発生する。
【００７６】
なお、図１３及び図１４では、各ファン２０が平面視で反時計回りに回転する場合について説明しているが、各ファン２０が平面視で時計回りに回転する場合、風速の大きい領域や小さい領域は、左右方向に逆転する。また、風速の大きい領域や小さい領域は、熱交換器５０の配置、ファン２０の回転軸２０ａと熱交換器５０の対称線５０ａとの関係が変わると変化する。
【００７７】
そこで、本実施の形態３では、ノズル６の形状を以下のようにしている。
図１５は、本発明の実施の形態３に係る室内機のノズル形状の一例を示す説明図である。なお、図１５（ａ）は本実施の形態３に係る室内機１００のノズル６近傍を示す縦断面図であり、図１５（ｂ）は図１５（ａ）のＷ−Ｗ断面図である。なお、図１５（ｂ）の下側がケーシング１の前面側となる。
図１５に示すように、本実施の形態３に係るノズル６は、ノズル６内の主流の流れに応じて、前後方向の幅を変更している。
【００７８】
より詳しくは、ノズル６内の主流の流れがケーシング１の前面側にも背面側にも寄っていない範囲（ケーシング１の左右方向における中央部）では、ノズル６の前後方向の幅は、ノズル６の前後方向の幅を変更する前のＬ１となっている。また、ノズル６内の主流の流れがケーシング１の前面側に寄っている範囲（ケーシング１の左右方向における左側）では、ノズル６の前後方向の幅を前面側へ縮め、ノズル６の前後方向の幅をＬ２としている。また、ノズル６内の主流の流れがケーシング１の背面側に寄っている範囲（ケーシング１の左右方向における右側）では、ノズル６の前後方向の幅を背面側へ縮め、ノズル６の前後方向の幅をＬ２としている。
【００７９】
なお、ノズル６の前後方向の幅は、ケーシング１の左右方向に沿って段階的に変更する必要は必ずしもない。ノズル６の前後方向の幅を、ケーシング１の左右方向に沿って滑らかに変化させていってもよい。
【００８０】
また、ノズル６の前後方向の幅を変更せずに、ノズル６内の主流の流れに応じて、ケーシング１の左右方向に沿ってノズル６の前後方向の位置を変化させていってもよい。
図１６は、本発明の実施の形態３に係る室内機のノズル形状の別の一例を示す説明図である。
図１６に示すように、ノズル６の前後方向の位置は、ケーシング１の左側から右側にかけて、前面側へ徐々に（滑らかに）寄っている。なお、図１６は、ノズル６内の主流の流れが、ケーシング１の左側から右側にかけて、ケーシング１の前面側に寄っている場合を想定している。
【００８１】
また、ノズル６の前後方向の位置を変更せずに、ノズル６内の主流の流れに応じて、ケーシング１の左右方向に沿ってノズル６の前後方向の幅を変化させていってもよい。
図１７は、本発明の実施の形態３に係る室内機のノズル形状のさらに別の一例を示す説明図である。
図１７に示すように、ノズル６の前後方向の幅は、ケーシング１の左側から右側にかけて、Ｌ５からＬ６へと徐々に（滑らかに）狭くなっている。なお、図１７は、ケーシング１の左側から右側にかけて、ノズル６を流れる風量が小さくなる場合を想定している。
つまり、ケーシング１の長手方向（左右方向）において、ノズル６を流れる気流の風速分布に応じてノズル６の前後方向の形状を変更することにより、吹出口３の風速分布の偏りをさらに是正することもできる。
【００８２】
また、本実施の形態３は、ノズル６の入り口側の形状について説明したが、ノズル６の出口側の形状を上記と同様に変更しても勿論よい。
【００８３】
以上、このような構成によれば、吹出口３付近における風速分布の偏りを是正することが可能となる。このため、吹出口３付近における風速分布を改善することができ、逆流等による対策や気流の方向制御が容易になるので、室内機１００全体での品質改善が可能となる。
【００８４】
実施の形態４．
吹出口３の風速分布の偏りを是正する際、以下のようにファンを追加してもよい。なお、本実施の形態４において、特に記述しない項目については実施の形態２又は実施の形態３と同様とし、同一の機能や構成については同一の符号を用いて述べることとする。
【００８５】
図１８は、本発明の実施の形態４に係る室内機を示す平面断面図である。なお、図１８には、熱交換器５０の上端部のみを示している。
本実施の形態４に係る室内機１００の基本構成は、実施の形態１に係る室内機１００と同じである。つまり、本実施の形態４に係る室内機１００は、複数設けられたファン２０の下流側に、右側縦断面略Λ型の熱交換器が設けられている。本実施の形態４に係る室内機１００が実施の形態１に係る室内機１００と異なる点は、ファン２０ｂが設けられている点である。ファン２０ｂは、隣接するファン２０の旋回流に影響を及ぼさない程度に小さいものである。このため、ファン２０ｂは、ファン２０と相似形状であってもよいし異なる形状でも構わないが、なるべく、ファン２０の旋回流を小さくするように羽根を設計したものが良い。なおファン２０ｂの回転方向は、ファン２０と同方向であってもよいし、ファン２０と逆方向であってもよい。図１８では、ファン２０ｂの回転方向をファン２０の回転方向と同方向にしている。
【００８６】
ファン２０が平面視で反時計回りに回転した場合、ケーシング１の右側側面近傍の気流の多くは熱交換器５０の前面側から熱交換器５０へ流入する。このため、熱交換器５０の右側後方の風量が小さくなってしまう。そこで、本実施の形態４では、この風量が小さくなる領域の風量を増加させるため、ケーシング１上面部の右側後方にファン２０ｂを配置している。
【００８７】
このように構成された室内機１００においては、風速が小さくなる領域の風量を部分的に増加することが可能となる。つまり、吹出口３全体での風速を均一に近い状態にすることが可能となる。このため、吹出口３付近における風速分布を改善することができ、逆流等による対策や気流の方向制御が容易になるので、室内機１００全体での品質改善が可能となる。
【００８８】
また、ファン２０ｂは、ケーシング１上面の右側後方及び右側前方に設けてもよい。ケーシング１上面部の全角部の近傍に設けてもよい。
【００８９】
図１９は、本発明の実施の形態４に係る室内機の別の一例を示す平面断面図である。なお、図１９には、熱交換器５０の上端部のみを示している。
図１９に示す室内機１００は、図１８に示す室内機１００に対し、ケーシング１上面の右側前方へさらにファン２０ｂを追加している。なお、ケーシング１の左側を図示していないが、ケーシング１上面の左側の角部近傍にファン２０ｂを設置してもよい。つまり、ケーシング１の左右両側面部に複数のファン２０ｂを配置してもよい。
【００９０】
室内機１００を低風量（低能力）モードで運転する場合、吹出口３の両端部近傍で逆流を生じることがある。このような場合、図１９に示すように室内機１００を構成することにより、吹出口３の両端部近傍の風速を増加させることができる。このため、吹出口３の両端部で問題となる逆流による耐力を向上させることができ、室内機１００全体の品質の改善が可能となる。
【００９１】
実施の形態５．
＜熱交換器＞
本発明の特徴の１つは、熱交換器５０の上流側にファン２０を配置することである。これにより、吹出口にファンが設けられている従来の空気調和機の室内機と比べ、吹出口３から吹き出される空気の旋回流の発生や風速分布の発生を抑制している。したがって、熱交換器５０の形状は、実施の形態１〜実施の形態４で示した形状に限らず、例えば以下のような形状としてもよい。なお、本実施の形態５においては、実施の形態１〜実施の形態４と同一の機能や構成については同一の符号を用いて述べることとする。
【００９２】
図２０は、本発明の実施の形態５に係る室内機を示す縦断面図である。
本実施の形態５に係る室内機１００においては、前面側熱交換器５１及び背面側熱交換器５５に分割されていない熱交換器５０が、ファン２０の下流側に設けられている。
【００９３】
このような構成によれば、フィルター１０を通過した空気がファン２０に流入する。つまり、ファン２０に流入する空気は、従来の室内機に流入する空気（熱交換器を通過した）よりも、流れの乱れが少ないものとなる。このため、従来の室内機と比べ、ファン２０の羽根２３の外周部を通過する空気は、流れの乱れが少ないものとなる。したがって、本実施の形態５に係る室内機１００は、従来の室内機と比べ、騒音を抑制することができる。
【００９４】
また、室内機１００は、ファン２０が熱交換器５０の上流側に設けられているので、吹出口にファンが設けられている従来の空気調和機の室内機と比べ、吹出口３から吹き出される空気の旋回流の発生や風速分布の発生を抑制することができる。また、吹出口３にファン等の複雑な構造物がないため、逆流等により発生する結露の対策も容易となる。
【００９５】
実施の形態６．
熱交換器５０を前面側熱交換器５１と背面側熱交換器５５で構成することにより、実施の形態５に係る室内機１００よりもさらに騒音を抑制することが可能となる。このとき、実施の形態１に示した熱交換器５０の形状に限らず、例えば以下のような形状とすることができる。なお、本実施の形態６では上述した実施の形態５との相違点を中心に説明するものとし、実施の形態５と同一部分には、同一符号を付している。
【００９６】
図２１は、本発明の実施の形態６に係る室内機を示す縦断面図である。
図２１に示すように、熱交換器５０を構成している前面側熱交換器５１と背面側熱交換器５５とは、右側縦断面において、対称線５０ａで分断されている。対称線５０ａは、この断面における熱交換器５０の設置範囲を、略中央部において左右方向に分断するものである。つまり、前面側熱交換器５１は対称線５０ａに対して前面側（紙面左側）に、背面側熱交換器５５は対称線５０ａに対して背面側（紙面右側）に、それぞれ配置されている。そして、前面側熱交換器５１及び背面側熱交換器５５は、前面側熱交換器５１と背面側熱交換器５５との間の間隔が空気の流れ方向に対して狭まるように、つまり右側縦断面において熱交換器５０の断面形状が略Ｖ型となるように、ケーシング１内に配置されている。
【００９７】
つまり、前面側熱交換器５１及び背面側熱交換器５５は、ファン２０から供給される空気の流れ方向に対して傾斜を有するように配置されているのである。さらに、背面側熱交換器５５の風路面積は、前面側熱交換器５１の風路面積よりも大きくなっていることを特徴としている。本実施の形態６では、右側縦断面において、背面側熱交換器５５の長手方向の長さが前面側熱交換器５１の長手方向長さよりも長くなっている。これにより、背面側熱交換器５５の風路面積は、前面側熱交換器５１の風路面積よりも大きくなっている。なお、前面側熱交換器５１及び背面側熱交換器５５のその他の構成（図２１における奥行き方向の長さ等）は、同じとなっている。つまり、背面側熱交換器５５の伝熱面積は、前面側熱交換器５１の伝熱面積よりも大きくなっている。また、ファン２０の回転軸２０ａは、対称線５０ａの上方に設置されている。
【００９８】
このような構成によれば、ファン２０が熱交換器５０の上流側に設けられているので、実施の形態５と同様の効果を得ることができる。
また、本実施の形態６に係る室内機１００によれば、前面側熱交換器５１及び背面側熱交換器５５のそれぞれには、風路面積に応じた量の空気が通過する。つまり、背面側熱交換器５５の風量は前面側熱交換器５１の風量よりも大きくなる。そして、この風量差により、前面側熱交換器５１及び背面側熱交換器５５のそれぞれを通過した空気が合流した際、この合流した空気は前面側（吹出口３側）へ曲がることとなる。このため、吹出口３近傍で気流を急激に曲げる必要が無くなり、吹出口３近傍での圧力損失を低減することができる。したがって、本実施の形態６に係る室内機１００は、実施の形態５に係る室内機１００と比べ、騒音をさらに抑制することが可能となる。また、本実施の形態６に係る室内機１００は、吹出口３近傍での圧力損失を低減することができるので、消費電力を低減させることも可能となる。
【００９９】
また、前面側熱交換器５１及び背面側熱交換器５５のそれぞれには、伝熱面積に応じた量の空気が通過することとなる。このため、熱交換器５０の熱交換性能が向上する。
【０１００】
なお、図２１に示す熱交換器５０は、別々に形成された前面側熱交換器５１及び背面側熱交換器５５により略Ｖ型に構成されているが、この構成に限定されるものではない。例えば、前面側熱交換器５１及び背面側熱交換器５５を一体型の熱交換器で構成してもよい（図３０参照）。また例えば、前面側熱交換器５１及び背面側熱交換器５５のそれぞれを、複数の熱交換器の組み合わせで構成してもよい（図３０参照）。一体型熱交換器の場合、対称線５０ａを基準に、前面側が前面側熱交換器５１となり、後面側が背面側熱交換器５５となる。つまり、対称線５０ａよりも背面側に配置された熱交換器の長手方向長さを、対称線５０ａよりも前面側に配置された熱交換器の長手方向長さよりも長くすればよい。また、前面側熱交換器５１及び背面側熱交換器５５のそれぞれを複数の熱交換器の組み合わせで構成した場合、前面側熱交換器５１を構成する複数の熱交換器それぞれの長手方向長さの和が、前面側熱交換器５１の長手方向長さとなる。背面側熱交換器５５を構成する複数の熱交換器それぞれの長手方向長さの和が、背面側熱交換器５５の長手方向長さとなる。
【０１０１】
また、熱交換器５０を構成する熱交換器の全てを右側縦断面において傾斜させる必要はなく、熱交換器５０を構成する熱交換器の一部を右側縦断面において垂直に配置してもよい（図３０参照）。
また、熱交換器５０を複数の熱交換器で構成する場合（例えば前面側熱交換器５１と背面側熱交換器５５で構成する場合）、熱交換器５０の配置勾配が変局する箇所（例えば前面側熱交換器５１と背面側熱交換器５５との実質的な接続箇所）で各熱交換器が完全に接触している必要はなく、多少の隙間があってもよい。
また、右側縦断面における熱交換器５０の形状は、一部又は全部が曲線形状となっていてもよい（図３０参照）。
【０１０２】
図３０は、熱交換器５０の構成例を説明するための概略図である。この図３０は、右側縦断面から見た熱交換器５０を示している。なお、図３０に示す熱交換器５０の全体形状は略Λ型となっているが、熱交換器の全体形状はあくまでも一例である。
図３０（ａ）に示すように、熱交換器５０を複数の熱交換器で構成してもよい。図３０（ｂ）に示すように、熱交換器５０を一体型の熱交換器で構成してもよい。１２（ｃ）に示すように、熱交換器５０を構成する熱交換器を、さらに複数の熱交換器で構成してもよい。また、図３０（ｃ）に示すように、熱交換器５０を構成する熱交換器の一部を、垂直に配置してもよい。図３０（ｄ）に示すように、熱交換器５０の形状を曲線形状としてもよい。
【０１０３】
実施の形態７．
また、熱交換器５０は、以下のように構成されてもよい。なお、本実施の形態７では上述した実施の形態６との相違点を中心に説明するものとし、実施の形態６と同一部分には、同一符号を付している。
【０１０４】
図２２は、本発明の実施の形態７に係る室内機を示す縦断面図である。
本実施の形態７の室内機１００は、熱交換器５０の配置の仕方が実施の形態６の室内機１００と相違している。
【０１０５】
本実施の形態７に係る熱交換器５０は、３つの熱交換器で構成されており、これら各熱交換器は、ファン２０から供給される空気の流れ方向に対して異なる傾斜を有して配置されている。そして、熱交換器５０は、右側縦断面において略Ｎ型となっている。ここで、対称線５０ａよりも前面側に配置された熱交換器５１ａ及び熱交換器５１ｂが前面側熱交換器５１を構成し、対称線５０ａよりも背面側に配置された熱交換器５５ａ及び熱交換器５５ｂが背面側熱交換器５５を構成する。つまり、本実施の形態７では、熱交換器５１ｂ及び熱交換器５５ｂが一体型の熱交換器で構成されている。なお、対称線５０ａは、右側縦断面における熱交換器５０の設置範囲を、略中央部において左右方向に分断するものである。
【０１０６】
また、右側縦断面において、背面側熱交換器５５の長手方向の長さが前面側熱交換器５１の長手方向長さよりも長くなっている。つまり、背面側熱交換器５５の風量は、前面側熱交換器５１の風量よりも大きくなっている。ここで、長さの比較については、前面側熱交換器５１を構成する熱交換器群の長さの和と背面側熱交換器５５を構成する熱交換器群の長さの和で、長短を比較すればよい。
【０１０７】
このような構成によれば、背面側熱交換器５５の風量が前面側熱交換器５１の風量よりも大きくなっている。このため、実施の形態６と同様に、風量差により、前面側熱交換器５１及び背面側熱交換器５５のそれぞれを通過した空気が合流した際、この合流した空気は前面側（吹出口３側）へ曲がることとなる。このため、吹出口３近傍で気流を急激に曲げる必要が無くなり、吹出口３近傍での圧力損失を低減することができる。したがって、本実施の形態７に係る室内機１００は、実施の形態５に係る室内機１００と比べ、騒音をさらに抑制することが可能となる。また、室内機１００は、吹出口３近傍での圧力損失を低減することができるので、消費電力を低減させることも可能となる。
【０１０８】
また、熱交換器５０の形状を右側縦断面において略Ｎ型とすることにより、前面側熱交換器５１及び背面側熱交換器５５を通過する面積を大きく取ることができるため、それぞれを通過する風速を実施の形態６よりも小さくすることが可能となる。このため、実施の形態６と比べ、前面側熱交換器５１及び背面側熱交換器５５での圧力損失を低減することができ、さらなる低消費電力化、低騒音化が可能となる。
【０１０９】
なお、図２２に示す熱交換器５０は、別々に形成された３つ熱交換器により略Ｎ型に構成されているが、この構成に限定されるものではない。例えば、熱交換器５０を構成する３つの熱交換器を一体型の熱交換器で構成してもよい（図３０参照）。また例えば、熱交換器５０を構成する３つの熱交換器のそれぞれを、複数の熱交換器の組み合わせで構成してもよい（図３０参照）。一体型熱交換器の場合、対称線５０ａを基準に、前面側が前面側熱交換器５１となり、後面側が背面側熱交換器５５となる。つまり、対称線５０ａよりも背面側に配置された熱交換器の長手方向長さを、対称線５０ａよりも前面側に配置された熱交換器の長手方向長さよりも長くすればよい。また、前面側熱交換器５１及び背面側熱交換器５５のそれぞれを複数の熱交換器の組み合わせで構成した場合、前面側熱交換器５１を構成する複数の熱交換器それぞれの長手方向長さの和が、前面側熱交換器５１の長手方向長さとなる。背面側熱交換器５５を構成する複数の熱交換器それぞれの長手方向長さの和が、背面側熱交換器５５の長手方向長さとなる。
【０１１０】
また、熱交換器５０を構成する熱交換器の全てを右側縦断面において傾斜させる必要はなく、熱交換器５０を構成する熱交換器の一部を右側縦断面において垂直に配置してもよい（図３０参照）。
また、熱交換器５０を複数の熱交換器で構成する場合、熱交換器５０の配置勾配が変局する箇所において各熱交換器が完全に接触している必要はなく、多少の隙間があってもよい。
また、右側縦断面における熱交換器５０の形状は、一部又は全部が曲線形状となっていてもよい（図３０参照）。
【０１１１】
実施の形態８．
また、熱交換器５０は以下のように構成されてもよい。なお、本実施の形態８では上述した実施の形態６及び実施の形態７との相違点を中心に説明するものとし、実施の形態６及び実施の形態７と同一部分には、同一符号を付している。また、室内機が空調対象域の壁面に取り付けられる壁掛け型である場合を例に示している。
【０１１２】
図２３は、本発明の実施の形態８に係る室内機を示す縦断面図である。
本実施の形態８の室内機１００は、熱交換器５０の配置の仕方が実施の形態６及び実施の形態７に示す室内機と相違している。
【０１１３】
実施の形態８に係る熱交換器５０は、４つの熱交換器で構成されており、これら各熱交換器は、ファン２０から供給される空気の流れ方向に対して異なる傾斜を有して配置されている。そして、熱交換器５０は、右側縦断面において略Ｗ型となっている。ここで、対称線５０ａよりも前面側に配置された熱交換器５１ａ及び熱交換器５１ｂが前面側熱交換器５１を構成し、対称線５０ａよりも背面側に配置された熱交換器５５ａ及び熱交換器５５ｂが背面側熱交換器５５を構成する。なお、対称線５０ａは、右側縦断面における熱交換器５０の設置範囲を、略中央部において左右方向に分断するものである。
【０１１４】
また、右側縦断面において、背面側熱交換器５５の長手方向の長さが前面側熱交換器５１の長手方向長さよりも長くなっている。つまり、背面側熱交換器５５の風量は、前面側熱交換器５１の風量よりも大きくなっている。ここで、長さの比較については、前面側熱交換器５１を構成する熱交換器群の長さの和と背面側熱交換器５５を構成する熱交換器群の長さの和で、長短を比較すればよい。
【０１１５】
このような構成によれば、背面側熱交換器５５の風量が前面側熱交換器５１の風量よりも大きくなっている。このため、実施の形態６及び実施の形態７と同様に、風量差により、前面側熱交換器５１及び背面側熱交換器５５のそれぞれを通過した空気が合流した際、この合流した空気は前面側（吹出口３側）へ曲がることとなる。このため、吹出口３近傍で気流を急激に曲げる必要が無くなり、吹出口３近傍での圧力損失を低減することができる。したがって、本実施の形態８に係る室内機１００は、実施の形態５に係る室内機１００と比べ、騒音をさらに抑制することが可能となる。また、室内機１００は、吹出口３近傍での圧力損失を低減することができるので、消費電力を低減させることも可能となる。
【０１１６】
また、熱交換器５０の形状を右側縦断面において略Ｗ型とすることにより、前面側熱交換器５１及び背面側熱交換器５５を通過する面積を大きく取ることができるため、それぞれを通過する風速を実施の形態６及び実施の形態７よりも小さくすることが可能となる。このため、実施の形態６及び実施の形態７と比べ、前面側熱交換器５１及び背面側熱交換器５５での圧力損失を低減することができ、さらなる低消費電力化、低騒音化が可能となる。
【０１１７】
なお、図２３に示す熱交換器５０は、別々に形成された４つ熱交換器により略Ｗ型に構成されているが、この構成に限定されるものではない。例えば、熱交換器５０を構成する４つの熱交換器を一体型の熱交換器で構成してもよい（図３０参照）。また例えば、熱交換器５０を構成する４つの熱交換器のそれぞれを、複数の熱交換器の組み合わせで構成してもよい（図３０参照）。一体型熱交換器の場合、対称線５０ａを基準に、前面側が前面側熱交換器５１となり、後面側が背面側熱交換器５５となる。つまり、対称線５０ａよりも背面側に配置された熱交換器の長手方向長さを、対称線５０ａよりも前面側に配置された熱交換器の長手方向長さよりも長くすればよい。また、前面側熱交換器５１及び背面側熱交換器５５のそれぞれを複数の熱交換器の組み合わせで構成した場合、前面側熱交換器５１を構成する複数の熱交換器それぞれの長手方向長さの和が、前面側熱交換器５１の長手方向長さとなる。背面側熱交換器５５を構成する複数の熱交換器それぞれの長手方向長さの和が、背面側熱交換器５５の長手方向長さとなる。
【０１１８】
また、熱交換器５０を構成する熱交換器の全てを右側縦断面において傾斜させる必要はなく、熱交換器５０を構成する熱交換器の一部を右側縦断面において垂直に配置してもよい（図３０参照）。
また、熱交換器５０を複数の熱交換器で構成する場合、熱交換器５０の配置勾配が変局する箇所において各熱交換器が完全に接触している必要はなく、多少の隙間があってもよい。
また、右側縦断面における熱交換器５０の形状は、一部又は全部が曲線形状となっていてもよい（図３０参照）。
【０１１９】
実施の形態９．
また、熱交換器５０は、実施の形態１でも示したように、以下のように構成されてもよい。なお、本実施の形態９では上述した実施の形態６〜実施の形態８との相違点を中心に説明するものとし、実施の形態６〜実施の形態８と同一部分には、同一符号を付している。また、室内機が空調対象域の壁面に取り付けられる壁掛け型である場合を例に示している。
【０１２０】
図２４は、本発明の実施の形態９に係る室内機を示す縦断面図である。
本実施の形態９の室内機１００では、熱交換器５０の配置の仕方が実施の形態６〜実施の形態８に示す室内機と相違している。
より詳しくは、本実施の形態９の室内機１００は、実施の形態６と同様に、２つの熱交換器（前面側熱交換器５１及び背面側熱交換器５５）で構成されている。しかしながら、前面側熱交換器５１及び背面側熱交換器５５の配置の仕方が実施の形態６に示す室内機１００と相違している。
【０１２１】
つまり、前面側熱交換器５１及び背面側熱交換器５５は、ファン２０から供給される空気の流れ方向に対して異なる傾斜を有して配置されている。また、対称線５０ａよりも前面側に前面側熱交換器５１が配置されており、対称線５０ａよりも背面側に背面側熱交換器５５が配置されている。そして、熱交換器５０は、右側縦断面において略Λ型となっている。
なお、対称線５０ａは、右側縦断面における熱交換器５０の設置範囲を、略中央部において左右方向に分断するものである。
【０１２２】
また、右側縦断面において、背面側熱交換器５５の長手方向の長さが前面側熱交換器５１の長手方向長さよりも長くなっている。つまり、背面側熱交換器５５の風量は、前面側熱交換器５１の風量よりも大きくなっている。ここで、長さの比較については、前面側熱交換器５１を構成する熱交換器群の長さの和と背面側熱交換器５５を構成する熱交換器群の長さの和で、長短を比較すればよい。
【０１２３】
このように構成された室内機１００は、その内部における空気の流れが以下のようになる。
まず、室内空気は、ファン２０によってケーシング１の上部に形成されている吸込口２から室内機１００（ケーシング１）内に流れ込む。このとき、フィルター１０によって空気に含まれている塵埃が除去される。この室内空気は、熱交換器５０（前面側熱交換器５１及び背面側熱交換器５５）を通過する際、熱交換器５０内を導通している冷媒によって加熱又は冷却されて空調空気となる。このとき、前面側熱交換器５１を通過する空気は、室内機１００の前面側から背面側に流れる。また、背面側熱交換器５５を通過する空気は、室内機１００の背面側から前面側に流れる。
熱交換器５０（前面側熱交換器５１及び背面側熱交換器５５）を通過した空調空気は、ケーシング１の下部に形成されている吹出口３から室内機１００の外部、つまり空調対象域に吹き出される。
【０１２４】
このような構成によれば、背面側熱交換器５５の風量が前面側熱交換器５１の風量よりも大きくなっている。このため、実施の形態６〜実施の形態８と同様に、風量差により、前面側熱交換器５１及び背面側熱交換器５５のそれぞれを通過した空気が合流した際、この合流した空気は前面側（吹出口３側）へ曲がることとなる。このため、吹出口３近傍で気流を急激に曲げる必要が無くなり、吹出口３近傍での圧力損失を低減することができる。したがって、本実施の形態９に係る室内機１００は、実施の形態５に係る室内機１００と比べ、騒音をさらに抑制することが可能となる。また、室内機１００は、吹出口３近傍での圧力損失を低減することができるので、消費電力を低減させることも可能となる。
【０１２５】
また、本実施の形態９に係る室内機１００においては、背面側熱交換器５５から流出する空気の流れ方向が、背面側から前面側への流れとなる。このため、本実施の形態９に係る室内機１００は、熱交換器５０を通過した後の空気の流れをより曲げやすくなる。つまり、本実施の形態９に係る室内機１００は、実施の形態６に係る室内機１００と比べ、吹出口３から吹き出される空気の気流制御がさらに容易となる。したがって、本実施の形態９に係る室内機１００は、実施の形態６に係る室内機１００と比べ、吹出口３近傍で気流を急激に曲げる必要がさらに無くなり、さらなる低消費電力化、低騒音化が可能となる。
【０１２６】
なお、図２４に示す熱交換器５０は、別々に形成された前面側熱交換器５１及び背面側熱交換器５５により略Λ型に構成されているが、この構成に限定されるものではない。例えば、前面側熱交換器５１及び背面側熱交換器５５を一体型の熱交換器で構成してもよい（図３０参照）。また例えば、前面側熱交換器５１及び背面側熱交換器５５のそれぞれを、複数の熱交換器の組み合わせで構成してもよい（図３０参照）。一体型熱交換器の場合、対称線５０ａを基準に、前面側が前面側熱交換器５１となり、後面側が背面側熱交換器５５となる。つまり、対称線５０ａよりも背面側に配置された熱交換器の長手方向長さを、対称線５０ａよりも前面側に配置された熱交換器の長手方向長さよりも長くすればよい。また、前面側熱交換器５１及び背面側熱交換器５５のそれぞれを複数の熱交換器の組み合わせで構成した場合、前面側熱交換器５１を構成する複数の熱交換器それぞれの長手方向長さの和が、前面側熱交換器５１の長手方向長さとなる。背面側熱交換器５５を構成する複数の熱交換器それぞれの長手方向長さの和が、背面側熱交換器５５の長手方向長さとなる。
【０１２７】
また、熱交換器５０を構成する熱交換器の全てを右側縦断面において傾斜させる必要はなく、熱交換器５０を構成する熱交換器の一部を右側縦断面において垂直に配置してもよい（図３０参照）。
また、熱交換器５０を複数の熱交換器で構成する場合、熱交換器５０の配置勾配が変局する箇所において各熱交換器が完全に接触している必要はなく、多少の隙間があってもよい。
また、右側縦断面における熱交換器５０の形状は、一部又は全部が曲線形状となっていてもよい（図３０参照）。
【０１２８】
実施の形態１０．
また、熱交換器５０は以下のように構成されてもよい。なお本実施の形態１０では上述した実施の形態６〜実施の形態９との相違点を中心に説明するものとし、実施の形態６〜実施の形態９と同一部分には、同一符号を付している。
【０１２９】
図２５は、本発明の実施の形態１０に係る室内機を示す縦断面図である。
本実施の形態１０の室内機１００は、熱交換器５０の配置の仕方が実施の形態６〜実施の形態９に示す室内機と相違している。
より詳しくは、本実施の形態１０の室内機１００は、実施の形態７と同様に、３つの熱交換器で構成されている。しかしながら、これら３つの熱交換器の配置の仕方が実施の形態７に示す室内機１００と相違している。
【０１３０】
つまり、熱交換器５０を構成する３つの熱交換器のそれぞれは、ファン２０から供給される空気の流れ方向に対して異なる傾斜を有して配置されている。そして、熱交換器５０は、右側縦断面において略И型となっている。ここで、対称線５０ａよりも前面側に配置された熱交換器５１ａ及び熱交換器５１ｂが前面側熱交換器５１を構成し、対称線５０ａよりも背面側に配置された熱交換器５５ａ及び熱交換器５５ｂが背面側熱交換器５５を構成する。つまり、本実施の形態１０では、熱交換器５１ｂ及び熱交換器５５ｂが一体型の熱交換器で構成されている。なお、対称線５０ａは、右側縦断面における熱交換器５０の設置範囲を、略中央部において左右方向に分断するものである。
【０１３１】
また、右側縦断面において、背面側熱交換器５５の長手方向の長さが前面側熱交換器５１の長手方向長さよりも長くなっている。つまり、背面側熱交換器５５の風量は、前面側熱交換器５１の風量よりも大きくなっている。ここで、長さの比較については、前面側熱交換器５１を構成する熱交換器群の長さの和と背面側熱交換器５５を構成する熱交換器群の長さの和で、長短を比較すればよい。
【０１３２】
このような構成によれば、背面側熱交換器５５の風量が前面側熱交換器５１の風量よりも大きくなっている。このため、実施の形態６〜実施の形態９と同様に、風量差により、前面側熱交換器５１及び背面側熱交換器５５のそれぞれを通過した空気が合流した際、この合流した空気は前面側（吹出口３側）へ曲がることとなる。このため、吹出口３近傍で気流を急激に曲げる必要が無くなり、吹出口３近傍での圧力損失を低減することができる。したがって、本実施の形態１０に係る室内機１００は、実施の形態５に係る室内機１００と比べ、騒音をさらに抑制することが可能となる。また、室内機１００は、吹出口３近傍での圧力損失を低減することができるので、消費電力を低減させることも可能となる。
【０１３３】
また、本実施の形態１０に係る室内機１００においては、背面側熱交換器５５から流出する空気の流れ方向が、背面側から前面側への流れとなる。このため、本実施の形態１０に係る室内機１００は、熱交換器５０を通過した後の空気の流れをより曲げやすくなる。つまり、本実施の形態１０に係る室内機１００は、実施の形態７に係る室内機１００と比べ、吹出口３から吹き出される空気の気流制御がさらに容易となる。したがって、本実施の形態１０に係る室内機１００は、実施の形態７に係る室内機１００と比べ、吹出口３近傍で気流を急激に曲げる必要がさらに無くなり、さらなる低消費電力化、低騒音化が可能となる。
【０１３４】
また、熱交換器５０の形状を右側縦断面において略И型とすることにより、前面側熱交換器５１及び背面側熱交換器５５を通過する面積を大きく取ることができるため、それぞれを通過する風速を実施の形態９よりも小さくすることが可能となる。このため、実施の形態９と比べ、前面側熱交換器５１及び背面側熱交換器５５での圧力損失を低減することができ、さらなる低消費電力化、低騒音化が可能となる。
【０１３５】
なお、図２５に示す熱交換器５０は、別々に形成された３つ熱交換器により略И型に構成されているが、この構成に限定されるものではない。例えば、熱交換器５０を構成する３つの熱交換器を一体型の熱交換器で構成してもよい（図３０参照）。また例えば、熱交換器５０を構成する３つの熱交換器のそれぞれを、複数の熱交換器の組み合わせで構成してもよい（図３０参照）。一体型熱交換器の場合、対称線５０ａを基準に、前面側が前面側熱交換器５１となり、後面側が背面側熱交換器５５となる。つまり、対称線５０ａよりも背面側に配置された熱交換器の長手方向長さを、対称線５０ａよりも前面側に配置された熱交換器の長手方向長さよりも長くすればよい。また、前面側熱交換器５１及び背面側熱交換器５５のそれぞれを複数の熱交換器の組み合わせで構成した場合、前面側熱交換器５１を構成する複数の熱交換器それぞれの長手方向長さの和が、前面側熱交換器５１の長手方向長さとなる。背面側熱交換器５５を構成する複数の熱交換器それぞれの長手方向長さの和が、背面側熱交換器５５の長手方向長さとなる。
【０１３６】
また、熱交換器５０を構成する熱交換器の全てを右側縦断面において傾斜させる必要はなく、熱交換器５０を構成する熱交換器の一部を右側縦断面において垂直に配置してもよい（図３０参照）。
また、熱交換器５０を複数の熱交換器で構成する場合、熱交換器５０の配置勾配が変局する箇所において各熱交換器が完全に接触している必要はなく、多少の隙間があってもよい。
また、右側縦断面における熱交換器５０の形状は、一部又は全部が曲線形状となっていてもよい（図３０参照）。
【０１３７】
実施の形態１１．
また、熱交換器５０は以下のように構成されてもよい。なお本実施の形態１１では上述した実施の形態６〜実施の形態１０との相違点を中心に説明するものとし、実施の形態６〜実施の形態１０と同一部分には、同一符号を付している。
【０１３８】
図２６は、本発明の実施の形態１１に係る室内機を示す縦断面図である。
本実施の形態１１の室内機１００は、熱交換器５０の配置の仕方が実施の形態６〜実施の形態１０に示す室内機と相違している。
より詳しくは、本実施の形態１１の室内機１００は、実施の形態８と同様に、４つの熱交換器で構成されている。しかしながら、これら４つの熱交換器の配置の仕方が実施の形態８に示す室内機１００と相違している。
【０１３９】
つまり、熱交換器５０を構成する４つの熱交換器のそれぞれは、ファン２０から供給される空気の流れ方向に対して異なる傾斜を有して配置されている。そして、熱交換器５０は、右側縦断面において略Ｍ型となっている。ここで、対称線５０ａよりも前面側に配置された熱交換器５１ａ及び熱交換器５１ｂが前面側熱交換器５１を構成し、対称線５０ａよりも背面側に配置された熱交換器５５ａ及び熱交換器５５ｂが背面側熱交換器５５を構成する。なお、対称線５０ａは、右側縦断面における熱交換器５０の設置範囲を、略中央部において左右方向に分断するものである。
【０１４０】
また、右側縦断面において、背面側熱交換器５５の長手方向の長さが前面側熱交換器５１の長手方向長さよりも長くなっている。つまり、背面側熱交換器５５の風量は、前面側熱交換器５１の風量よりも大きくなっている。ここで、長さの比較については、前面側熱交換器５１を構成する熱交換器群の長さの和と背面側熱交換器５５を構成する熱交換器群の長さの和で、長短を比較すればよい。
【０１４１】
このような構成によれば、背面側熱交換器５５の風量が前面側熱交換器５１の風量よりも大きくなっている。このため、実施の形態６〜実施の形態１０と同様に、風量差により、前面側熱交換器５１及び背面側熱交換器５５のそれぞれを通過した空気が合流した際、この合流した空気は前面側（吹出口３側）へ曲がることとなる。このため、吹出口３近傍で気流を急激に曲げる必要が無くなり、吹出口３近傍での圧力損失を低減することができる。したがって、本実施の形態１１に係る室内機１００は、実施の形態５に係る室内機１００と比べ、騒音をさらに抑制することが可能となる。また、室内機１００は、吹出口３近傍での圧力損失を低減することができるので、消費電力を低減させることも可能となる。
【０１４２】
また、本実施の形態１１に係る室内機１００においては、背面側熱交換器５５から流出する空気の流れ方向が、背面側から前面側への流れとなる。このため、本実施の形態１１に係る室内機１００は、熱交換器５０を通過した後の空気の流れをより曲げやすくなる。つまり、本実施の形態１１に係る室内機１００は、実施の形態８に係る室内機１００と比べ、吹出口３から吹き出される空気の気流制御がさらに容易となる。したがって、本実施の形態１１に係る室内機１００は、実施の形態８に係る室内機１００と比べ、吹出口３近傍で気流を急激に曲げる必要がさらに無くなり、さらなる低消費電力化、低騒音化が可能となる。
【０１４３】
また、熱交換器５０の形状を右側縦断面において略Ｍ型とすることにより、前面側熱交換器５１及び背面側熱交換器５５を通過する面積を大きく取ることができるため、それぞれを通過する風速を実施の形態９及び実施の形態１０よりも小さくすることが可能となる。このため、実施の形態９及び実施の形態１０と比べ、前面側熱交換器５１及び背面側熱交換器５５での圧力損失を低減することができ、さらなる低消費電力化、低騒音化が可能となる。
【０１４４】
なお、図２６に示す熱交換器５０は、別々に形成された４つ熱交換器により略Ｍ型に構成されているが、この構成に限定されるものではない。例えば、熱交換器５０を構成する４つの熱交換器を一体型の熱交換器で構成してもよい（図３０参照）。また例えば、熱交換器５０を構成する４つの熱交換器のそれぞれを、複数の熱交換器の組み合わせで構成してもよい（図３０参照）。一体型熱交換器の場合、対称線５０ａを基準に、前面側が前面側熱交換器５１となり、後面側が背面側熱交換器５５となる。つまり、対称線５０ａよりも背面側に配置された熱交換器の長手方向長さを、対称線５０ａよりも前面側に配置された熱交換器の長手方向長さよりも長くすればよい。また、前面側熱交換器５１及び背面側熱交換器５５のそれぞれを複数の熱交換器の組み合わせで構成した場合、前面側熱交換器５１を構成する複数の熱交換器それぞれの長手方向長さの和が、前面側熱交換器５１の長手方向長さとなる。背面側熱交換器５５を構成する複数の熱交換器それぞれの長手方向長さの和が、背面側熱交換器５５の長手方向長さとなる。
【０１４５】
また、熱交換器５０を構成する熱交換器の全てを右側縦断面において傾斜させる必要はなく、熱交換器５０を構成する熱交換器の一部を右側縦断面において垂直に配置してもよい（図３０参照）。
また、熱交換器５０を複数の熱交換器で構成する場合、熱交換器５０の配置勾配が変局する箇所において各熱交換器が完全に接触している必要はなく、多少の隙間があってもよい。
また、右側縦断面における熱交換器５０の形状は、一部又は全部が曲線形状となっていてもよい（図３０参照）。
【０１４６】
実施の形態１２．
また、熱交換器５０は以下のように構成されてもよい。なお本実施の形態１２では上述した実施の形態６〜実施の形態１１との相違点を中心に説明するものとし、実施の形態６〜実施の形態１１と同一部分には、同一符号を付している。
【０１４７】
図２７は、本発明の実施の形態１２に係る室内機を示す縦断面図である。
本実施の形態１２の室内機１００は、熱交換器５０の配置の仕方が実施の形態６〜実施の形態１１に示す室内機と相違している。
より詳しくは、本実施の形態１２の室内機１００は、実施の形態９と同様に、２つの熱交換器（前面側熱交換器５１及び背面側熱交換器５５）で構成され、右側縦断面において略Λ型となっている。しかしながら、本実施の形態１２では、前面側熱交換器５１の圧力損失と背面側熱交換器５５の圧力損失とを異ならせることにより、前面側熱交換器５１の風量と背面側熱交換器５５の風量とを異ならせている。
【０１４８】
つまり、前面側熱交換器５１及び背面側熱交換器５５は、ファン２０から供給される空気の流れ方向に対して異なる傾斜を有して配置されている。対称線５０ａよりも前面側に前面側熱交換器５１が配置されており、対称線５０ａよりも背面側に背面側熱交換器５５が配置されている。そして、熱交換器５０は、右側縦断面において略Λ型となっている。
【０１４９】
また、右側縦断面において、背面側熱交換器５５の長手方向の長さと前面側熱交換器５１の長手方向長さとは同じになっている。そして、背面側熱交換器５５の圧力損失が前面側熱交換器５１の圧力損失よりも小さくなるように、前面側熱交換器５１及び背面側熱交換器５５の仕様を決定している。前面側熱交換器５１及び背面側熱交換器５５としてフィンチューブ型熱交換器を用いる場合、例えば、右側縦断面における背面側熱交換器５５の短手方向長さ（背面側熱交換器５５のフィン５６の幅）を、右側縦断面における前面側熱交換器５１の短手方向長さ（前面側熱交換器５１のフィン５６の幅）よりも小さくするとよい。また例えば、背面側熱交換器５５のフィン５６間距離を、前面側熱交換器５１のフィン５６間距離よりも大きくするとよい。また例えば、背面側熱交換器５５の伝熱管５７の直径を、前面側熱交換器５１の伝熱管５７の直径よりも小さくするとよい。また例えば、背面側熱交換器５５の伝熱管５７の本数を、前面側熱交換器５１の伝熱管５７の本数よりも少なくするとよい。
なお、対称線５０ａは、右側縦断面における熱交換器５０の設置範囲を、略中央部において左右方向に分断するものである。
【０１５０】
このような構成によれば、ファン２０が熱交換器５０の上流側に設けられているので、実施の形態５と同様の効果を得ることができる。
また、本実施の形態１２に係る室内機１００によれば、前面側熱交換器５１及び背面側熱交換器５５のそれぞれには、圧力損失に応じた量の空気が通過する。つまり、背面側熱交換器５５の風量は前面側熱交換器５１の風量よりも大きくなる。そして、この風量差により、前面側熱交換器５１及び背面側熱交換器５５のそれぞれを通過した空気が合流した際、この合流した空気は前面側（吹出口３側）へ曲がることとなる。このため、吹出口３近傍で気流を急激に曲げる必要が無くなり、吹出口３近傍での圧力損失を低減することができる。したがって、本実施の形態１２に係る室内機１００は、右側縦断面における背面側熱交換器５５の長さを長くすることなく、実施の形態５に係る室内機１００よりもさらに騒音を抑制することが可能となる。また、室内機１００は、吹出口３近傍での圧力損失を低減することができるので、消費電力を低減させることも可能となる。
【０１５１】
なお、図２７に示す熱交換器５０は、別々に形成された前面側熱交換器５１及び背面側熱交換器５５により略Λ型に構成されているが、この構成に限定されるものではない。例えば、右側縦断面における熱交換器５０の形状を、略Ｖ型、略Ｎ型、略Ｗ型、略И型又は略Ｍ型等に構成してもよい。また例えば、前面側熱交換器５１及び背面側熱交換器５５を一体型の熱交換器で構成してもよい（図３０参照）。また例えば、前面側熱交換器５１及び背面側熱交換器５５のそれぞれを、複数の熱交換器の組み合わせで構成してもよい（図３０参照）。一体型熱交換器の場合、対称線５０ａを基準に、前面側が前面側熱交換器５１となり、後面側が背面側熱交換器５５となる。つまり、対称線５０ａよりも背面側に配置された熱交換器の圧力損失を、対称線５０ａよりも前面側に配置された熱交換器の圧力損失よりも小さくすればよい。また、前面側熱交換器５１及び背面側熱交換器５５のそれぞれを複数の熱交換器の組み合わせで構成した場合、前面側熱交換器５１を構成する複数の熱交換器それぞれの圧力損失の和が、前面側熱交換器５１の圧力損失となる。背面側熱交換器５５を構成する複数の熱交換器それぞれの圧力損失の和が、背面側熱交換器５５の圧力損失となる。
【０１５２】
また、熱交換器５０を構成する熱交換器の全てを右側縦断面において傾斜させる必要はなく、熱交換器５０を構成する熱交換器の一部を右側縦断面において垂直に配置してもよい（図３０参照）。
また、熱交換器５０を複数の熱交換器で構成する場合（例えば前面側熱交換器５１と背面側熱交換器５５で構成する場合）、熱交換器５０の配置勾配が変局する箇所（例えば前面側熱交換器５１と背面側熱交換器５５との実質的な接続箇所）で各熱交換器が完全に接触している必要はなく、多少の隙間があってもよい。
また、右側縦断面における熱交換器５０の形状は、一部又は全部が曲線形状となっていてもよい（図３０参照）。
【０１５３】
実施の形態１３．
また、上述した実施の形態６〜実施の形態１２において、ファン２０を以下のように配置してもよい。なお本実施の形態１３では上述した実施の形態６〜実施の形態１２との相違点を中心に説明するものとし、実施の形態６〜実施の形態１２と同一部分には、同一符号を付している。
【０１５４】
図２８は、本発明の実施の形態１３に係る室内機を示す縦断面図である。図２８（ａ）〜図２８（ｃ）に基づいて、室内機１００におけるファン２０の配置の仕方について説明する。
【０１５５】
本実施の形態１３に係る室内機１００の熱交換器５０は、実施の形態９の室内機１００と同様の配置となっている。しかしながら、本実施の形態１３に係る室内機１００は、ファン２０の配置の仕方が実施の形態９の室内機１００と相違している。
つまり、本実施の形態１３に係る室内機１００は、前面側熱交換器５１及び背面側熱交換器５５の風量や伝熱面積に応じて、ファン２０の配置位置が決定されている。
【０１５６】
例えば、図２８（ａ）に示す状態（右側縦断面において、ファン２０の回転軸２０ａと対称線５０ａとの位置が略一致している状態）において、前面側熱交換器５１よりも伝熱面積の大きな背面側熱交換器５５の風量が不足する場合がある。このように背面側熱交換器５５の風量が不足すると、熱交換器５０（前面側熱交換器５１及び背面側熱交換器５５）は、所望の熱交換性能を発揮できない場合がある。このような場合、図２８（ｂ）に示すように、ファン２０の配置位置を背面方向へ移動するとよい。
このように構成することにより、前面側熱交換器５１及び背面側熱交換器５５の伝熱面積に応じた風量分配が可能となり、熱交換器５０（前面側熱交換器５１及び背面側熱交換器５５）の熱交換性能が向上する。
【０１５７】
また例えば、図２８（ａ）に示す状態において、背面側熱交換器５５の圧力損失が大きい場合等、背面側熱交換器５５の風量が不足する場合がある。また、ケーシング１内のスペースの制約上、前面側熱交換器５１及び背面側熱交換器５５の構成による風量調整のみでは、前面側熱交換器５１及び背面側熱交換器５５のそれぞれを通過した後に合流した空気を所望の角度に調整できない場合がある。このように背面側熱交換器５５の風量が不足すると、前面側熱交換器５１及び背面側熱交換器５５のそれぞれを通過した後に合流した空気が、所望の角度よりも曲がらない場合がある。このような場合、図２８（ｂ）に示すように、ファン２０の配置位置を背面方向へ移動するとよい。
【０１５８】
このように構成することにより、前面側熱交換器５１及び背面側熱交換器５５のそれぞれの風量の微小制御が可能となり、前面側熱交換器５１及び背面側熱交換器５５のそれぞれを通過した後に合流した空気を所望の角度に曲げることができる。このため、吹出口３の形成位置に応じて、前面側熱交換器５１及び背面側熱交換器５５のそれぞれを通過した後に合流した空気の流れ方向を、適した方向に調整することができる。
【０１５９】
また例えば、前面側熱交換器５１の伝熱面積が背面側熱交換器５５の伝熱面積よりも大きい場合がある。このような場合、図２８（ｃ）に示すように、ファン２０の配置位置を前面方向へ移動するとよい。
このように構成することにより、前面側熱交換器５１及び背面側熱交換器５５の伝熱面積に応じた風量分配が可能となり、熱交換器５０（前面側熱交換器５１及び背面側熱交換器５５）の熱交換性能が向上する。
【０１６０】
また例えば、図２８（ａ）に示す状態において、背面側熱交換器５５の風量が必要以上に大きくなる場合がある。また、ケーシング１内のスペースの制約上、前面側熱交換器５１及び背面側熱交換器５５の構成による風量調整のみでは、前面側熱交換器５１及び背面側熱交換器５５のそれぞれを通過した後に合流した空気を所望の角度に調整できない場合がある。このため、前面側熱交換器５１及び背面側熱交換器５５のそれぞれを通過した後に合流した空気が、所望の角度以上に曲がってしまう場合がある。このような場合、図２８（ｃ）に示すようにファン２０の配置位置を前面方向へ移動するとよい。
【０１６１】
このように構成することにより、前面側熱交換器５１及び背面側熱交換器５５のそれぞれの風量の微小制御が可能となり、前面側熱交換器５１及び背面側熱交換器５５のそれぞれを通過した後に合流した空気を所望の角度に曲げることができる。このため、吹出口３の形成位置に応じて、前面側熱交換器５１及び背面側熱交換器５５のそれぞれを通過した後に合流した空気の流れ方向を、適した方向に調整することができる。
【０１６２】
なお、図２８に示す熱交換器５０は、別々に形成された前面側熱交換器５１及び背面側熱交換器５５により略Λ型に構成されているが、この構成に限定されるものではない。例えば、右側縦断面における熱交換器５０の形状を、略Ｖ型、略Ｎ型、略Ｗ型、略И型又は略Ｍ型等に構成してもよい。また例えば、前面側熱交換器５１及び背面側熱交換器５５を一体型の熱交換器で構成してもよい（図３０参照）。また例えば、前面側熱交換器５１及び背面側熱交換器５５のそれぞれを、複数の熱交換器の組み合わせで構成してもよい（図３０参照）。一体型熱交換器の場合、対称線５０ａを基準に、前面側が前面側熱交換器５１となり、後面側が背面側熱交換器５５となる。つまり、対称線５０ａよりも背面側に配置された熱交換器の長手方向長さを、対称線５０ａよりも前面側に配置された熱交換器の長手方向長さよりも長くすればよい。また、前面側熱交換器５１及び背面側熱交換器５５のそれぞれを複数の熱交換器の組み合わせで構成した場合、前面側熱交換器５１を構成する複数の熱交換器それぞれの長手方向長さの和が、前面側熱交換器５１の長手方向長さとなる。背面側熱交換器５５を構成する複数の熱交換器それぞれの長手方向長さの和が、背面側熱交換器５５の長手方向長さとなる。
【０１６３】
また、熱交換器５０を構成する熱交換器の全てを右側縦断面において傾斜させる必要はなく、熱交換器５０を構成する熱交換器の一部を右側縦断面において垂直に配置してもよい（図３０参照）。
また、熱交換器５０を複数の熱交換器で構成する場合（例えば前面側熱交換器５１と背面側熱交換器５５で構成する場合）、熱交換器５０の配置勾配が変局する箇所（例えば前面側熱交換器５１と背面側熱交換器５５との実質的な接続箇所）で各熱交換器が完全に接触している必要はなく、多少の隙間があってもよい。
また、右側縦断面における熱交換器５０の形状は、一部又は全部が曲線形状となっていてもよい（図３０参照）。
【０１６４】
実施の形態１４．
また、上述した実施の形態６〜実施の形態１２において、ファン２０を以下のように配置してもよい。なお、本実施の形態１４では上述した実施の形態６〜実施の形態１３との相違点を中心に説明するものとし、実施の形態６〜実施の形態１３と同一部分には、同一符号を付している。
【０１６５】
図２９は、本発明の実施の形態１４に係る室内機を示す縦断面図である。
本実施の形態１４に係る室内機１００の熱交換器５０は、実施の形態９の室内機１００と同様の配置となっている。しかしながら、本実施の形態１３に係る室内機１００は、ファン２０の配置の仕方が実施の形態９の室内機１００と相違している。
つまり、本実施の形態１４に係る室内機１００は、前面側熱交換器５１及び背面側熱交換器５５の風量や伝熱面積に応じて、ファン２０の傾斜が決定されている。
【０１６６】
例えば、前面側熱交換器５１よりも伝熱面積の大きな背面側熱交換器５５の風量が不足する場合がある。また、ケーシング１内のスペース上の制限により、ファン２０を前後方向に移動させて風量調整を行えない場合がある。このように背面側熱交換器５５の風量が不足すると、熱交換器５０（前面側熱交換器５１及び背面側熱交換器５５）は、所望の熱交換性能を発揮できない場合がある。このような場合、図２９に示すように、右側縦断面において、ファン２０を背面側熱交換器５５側に傾斜されるとよい。
このように構成することにより、ファン２０を前後方向に移動させられない場合でも、前面側熱交換器５１及び背面側熱交換器５５の伝熱面積に応じた風量分配が可能となり、熱交換器５０（前面側熱交換器５１及び背面側熱交換器５５）の熱交換性能が向上する。
【０１６７】
また例えば、背面側熱交換器５５の圧力損失が大きい場合等、背面側熱交換器５５の風量が不足する場合がある。また、ケーシング１内のスペースの制約上、前面側熱交換器５１及び背面側熱交換器５５の構成による風量調整のみでは、前面側熱交換器５１及び背面側熱交換器５５のそれぞれを通過した後に合流した空気を所望の角度に調整できない場合がある。さらに、ケーシング１内のスペース上の制限により、ファン２０を前後方向に移動させて風量調整を行えない場合がある。このように背面側熱交換器５５の風量が不足すると、前面側熱交換器５１及び背面側熱交換器５５のそれぞれを通過した後に合流した空気が、所望の角度よりも曲がらない場合がある。このような場合、図２９に示すように、右側縦断面において、ファン２０を背面側熱交換器５５側に傾斜されるとよい。
【０１６８】
このように構成することにより、ファン２０を前後方向に移動させられない場合でも、前面側熱交換器５１及び背面側熱交換器５５のそれぞれの風量の微小制御が可能となり、前面側熱交換器５１及び背面側熱交換器５５のそれぞれを通過した後に合流した空気を所望の角度に曲げることができる。このため、吹出口３の形成位置に応じて、前面側熱交換器５１及び背面側熱交換器５５のそれぞれを通過した後に合流した空気の流れ方向を、適した方向に調整することができる。
【０１６９】
なお、図２９に示す熱交換器５０は、別々に形成された前面側熱交換器５１及び背面側熱交換器５５により略Λ型に構成されているが、この構成に限定されるものではない。例えば、右側縦断面における熱交換器５０の形状を、略Ｖ型、略Ｎ型、略Ｗ型、略И型又は略Ｍ型等に構成してもよい。また例えば、前面側熱交換器５１及び背面側熱交換器５５を一体型の熱交換器で構成してもよい（図３０参照）。また例えば、前面側熱交換器５１及び背面側熱交換器５５のそれぞれを、複数の熱交換器の組み合わせで構成してもよい（図３０参照）。一体型熱交換器の場合、対称線５０ａを基準に、前面側が前面側熱交換器５１となり、後面側が背面側熱交換器５５となる。つまり、対称線５０ａよりも背面側に配置された熱交換器の長手方向長さを、対称線５０ａよりも前面側に配置された熱交換器の長手方向長さよりも長くすればよい。また、前面側熱交換器５１及び背面側熱交換器５５のそれぞれを複数の熱交換器の組み合わせで構成した場合、前面側熱交換器５１を構成する複数の熱交換器それぞれの長手方向長さの和が、前面側熱交換器５１の長手方向長さとなる。背面側熱交換器５５を構成する複数の熱交換器それぞれの長手方向長さの和が、背面側熱交換器５５の長手方向長さとなる。
【０１７０】
また、熱交換器５０を構成する熱交換器の全てを右側縦断面において傾斜させる必要はなく、熱交換器５０を構成する熱交換器の一部を右側縦断面において垂直に配置してもよい（図３０参照）。
また、熱交換器５０を複数の熱交換器で構成する場合（例えば前面側熱交換器５１と背面側熱交換器５５で構成する場合）、熱交換器５０の配置勾配が変局する箇所（例えば前面側熱交換器５１と背面側熱交換器５５との実質的な接続箇所）で各熱交換器が完全に接触している必要はなく、多少の隙間があってもよい。
また、右側縦断面における熱交換器５０の形状は、一部又は全部が曲線形状となっていてもよい（図３０参照）。
【０１７１】
実施の形態１５．
＜プレフィルター＞
フィルター１０を以下のように設置することにより、フィルターの圧力損失の低減、熱交換器へ流入する気流の風速分布の改善等の効果を得ることができる。また、気流を予め整流することにより、実施の形態１〜実施の形態４で示したノズル形状とすることによる効果がさらに向上する。なお、本実施の形態１５においては、実施の形態１〜実施の形態１４と同一の機能や構成については同一の符号を用いて述べることとする。
【０１７２】
図３１は、本発明の実施の形態１５に係る室内機を示す縦断面図である。
本実施の形態１５に係る室内機１００は、フィルター１０の設置位置が実施の形態１に係る室内機１００と異なっている。より詳しくは、本実施の形態１５に係る室内機１００は、フィンガーガード１５の上流側（例えばフィンガーガード１５の上面部）にフィルター１０が配置されている。
【０１７３】
このような構成によれば、フィルター１０とファン２０との距離を確保することが出来るとともに、補強部材をフィルター１０内やフィルター１０の下方に設ける必要がなくなる。フィルター１０の補強部材とは、フィルター１０がファン２０に干渉しないようにするためのものであり、例えば格子状や縦格子状の部材である。つまり、フィルター１０をフィンガーガード１５の上流側に設置することで、フィンガーガード１５は、ファン２０に指が入らないようにするフィンガーガード１５としての機能に加え、ファン２０とフィルター１０との干渉を防ぐ強度部材しての機能も果たすこととなる。換言すると、フィルター１０の補強部材をフィンガーガード１５として用いることができる。このため、従来のフィルターに設けられていた補強部材が不要となるため、この補強部材の分だけコスト低減が可能となる。
【０１７４】
さらに、フィルター１０をフィンガーガード１５の上流側に配置することで、フィルター１０とファン２０の距離が大きくなる。このため、図３１に示すように、実際にフィルター１０を通過する有効風路（以下、前面面積と称する）を大きくすることができる。このため、同一風量時のフィルター１０の圧力損失の低下が可能となる。
【０１７５】
なお、フィルター１０の前面面積が拡大するように、フィンガーガード１５の形状を変更してもよい。また、フィルター１０とフィンガーガード１５は別体として（両者を着脱自在に）構成してもよいし、例えば接着等により一体の形状で構成してもよい。本実施の形態１５では、フィルター１０の前面面積が拡大するように、フィンガーガード１５の周縁部を下方に傾斜させて、フィンガーガード１５を形成している。
【０１７６】
実施の形態１６．
例えば、フィルター１０は、ファン２０の下流側に設置してもよい。なお、本実施の形態１６において、特に記述しない項目については実施の形態１５と同様とし、同一の機能や構成については同一の符号を用いて述べることとする。
【０１７７】
図３２は、本発明の実施の形態１６に係る室内機を示す縦断面図である。
本実施の形態１６に係る室内機１００は、フィルター１０の設置位置が実施の形態１及び実施の形態１５に係る室内機１００と異なっている。より詳しくは、本実施の形態１６に係る室内機１００は、ファン２０と熱交換器５０との間にフィルター１０が配置されている。また、本実施の形態１６に係るフィルター１０は、熱交換器５０の上面部に沿って、前面側と背面側が斜め下方に折り曲げられた形状となっている。
【０１７８】
このような構成によれば、ファン２０から流出した流速の大きい気流が直接熱交換器５０に衝突することを防止できる。このため、ファン２０から流出した流速の大きい気流を一旦フィルター１０で整流した後、熱交換器５０へ流入させることが可能となる。さらに、フィルター１０は、ケーシング１の前面側と背面側に折り曲げられているため、フィルター１０の前面面積を大きくとることが可能となる。このため、フィルター１０の圧力損失を低減でき、熱交換器５０に生じる風速分布のバラツキを軽減することができる。したがって、室内機１００の性能の向上が可能となる。
【０１７９】
なお、フィルター１０を折り曲げて形成する際、例えば図３３に示すように、ケーシングの前面側のみを折り曲げてフィルター１０を形成してもよい。このようにフィルター１０を形成することにより、ケーシング１の前面側からフィルター１０を着脱することが容易となる。
【０１８０】
実施の形態１７．
また、フィルター１０をファン２０の下流側に設置する場合、フィルター１０とファン２０との距離を十分に確保できるならば、例えば以下のようにフィルター１０を設置してもよい。なお、本実施の形態１７において、特に記述しない項目については実施の形態１５又は実施の形態１６と同様とし、同一の機能や構成については同一の符号を用いて述べることとする。
【０１８１】
図３４は、本発明の実施の形態１７に係る室内機の縦断面図である。
本実施の形態１７に係る室内機１００は、実施の形態１６に係る室内機１００と同様に、ファン２０と熱交換器５０との間にフィルター１０が配置されている。しかしながら、本実施の形態１７に係る室内機１００に設けられているフィルター１０は、その形状が実施の形態１６で示したフィルター１０と異なっている。より詳しくは、実施の形態１６では、フィルター１０の前面面積を確保するために（ファン２０から吹き出された気流の一部が一旦静圧に変換させるスペースを確保するために）、前面側と背面側を折り曲げた形状としていた。一方、本実施の形態１７に係る室内機１００は、フィルター１０とファン２０との距離を十分に確保できるため、略平面状（前面側や背面側が折り曲げられていない）のフィルター１０となっている。
【０１８２】
なお、フィルター１０とファン２０との距離を十分に確保できる場合とは、フィルター１０とファン２０との距離をＤ／４以上確保できる場合である。ここで、Ｄはファン２０（より詳しくは、ファン２０の羽根車２５）の直径を示す。フィルター１０とファン２０との距離を十分に確保することができれば、図３４に示すようなフィルター１０の形状としても、ファン２０から吹き出された気流の一部を静圧に変換することができる。
【０１８３】
このような構成によれば、フィルター１０とファン２０が面対称な配置となっているので、ファン２０から吹き出された気流が直接熱交換器に衝突した際に発生する騒音（フィルター１０をファン２０の上流側に配置した場合に発生）、又はファン２０から吹き出された気流が非対称のフィルター１０（図３３に示す前面側のみが折り曲がったフィルター１０）に衝突した際に発生する騒音を防止することが可能となる。
【０１８４】
また、本実施の形態１７で示した形状のフィルター１０をファン２０の下流側に配置することにより、以下のような効果を得ることもできる。
【０１８５】
図３５及び図３６は、本発明の実施の形態１６に係る室内機の内部で発生する気流を説明するための説明図（縦断面図）である。なお、図３５が図３２で示した室内機１００の内部で発生する気流を説明するための説明図（縦断面図）であり、図３６が図３３で示した室内機１００の内部で発生する気流を説明するための説明図（縦断面図）である。
【０１８６】
図３５及び図３６に示すように、フィルター１０に傾斜している範囲があると、ファン２０から吹き出された空気は、フィルター１０の傾斜している範囲に沿って流れる。つまり、フィルター１０に傾斜している範囲があると、ファン２０から吹き出された気流は、図３５のＤ，Ｅや図３６のＦに示す領域に向かって流れる気流となる。このため熱交換器５０には、図３５のＤ，Ｅや図３６のＦに示す領域を通過した気流が多く流入することとなる。このため、熱交換器５０に流入する気流の速度分布にバラツキが生じてしまう。一方、本実施の形態１７のように略平面状のフィルター１０は、フィルター１０とファン２０が面対称な配置となる。このため、ファン２０から吹き出された気流は、このファン２０で均一に整流される。このため、フィルター１０の下流にある熱交換器に生じる風速分布を改善することができ、室内機１００の性能の向上が可能となる。
【０１８７】
実施の形態１８．
また、フィルター１０は、ファン２０の上流側及び下流側の双方に配置しても勿論よい。なお、本実施の形態１８において、特に記述しない項目については実施の形態１５〜実施の形態１７と同様とし、同一の機能や構成については同一の符号を用いて述べることとする。
【０１８８】
図３７は、本発明の実施の形態１８に係る室内機を示す縦断面図である。
本実施の形態１８に係る室内機１００は、ファン２０の上流側及び下流側の双方にフィルター１０が設置されている。また、本実施の形態１８では、ファン２０の上流側及び下流側に設けられたフィルター１０の圧力損失の合計が、実施の形態１５で示したフィルター１０（ファン２０の上流側のみに設置されたフィルター）の圧力損失や実施の形態１６及び実施の形態１７で示したフィルター１０（ファン２０の下流側のみに設けられたフィルター）の圧力損失と同程度となっている。つまり、本実施の形態１８では、ファン２０の上流側及び下流側に設けられたフィルター１０各々の粗さや前面面積を調整することにより、これらの圧力損失の合計を、実施の形態１５で示したフィルター１０（ファン２０の上流側のみに設置されたフィルター）の圧力損失や実施の形態１６及び実施の形態１７で示したフィルター１０（ファン２０の下流側のみに設けられたフィルター）の圧力損失と同程度と設定している。
【０１８９】
このような構成によれば、ファン２０の下流側に設置されたフィルター１０で気流を整流するだけでなく、ファン２０の上流側のフィルター１０で、ファン２０に付着する粉塵を回収することが可能となる。このため、熱交換器５０へ流入する気流の風速分布を改善するだけでなく、粉塵の付着や蓄積によるファン２０の風量低下を防ぐことも可能となる。
【０１９０】
なお、ファン２０の下流側に設置されるフィルター１０に関しては、整流効果のあるハニカム構造を使用してもよい。例えば、ハニカム構造清浄フィルターを用いることにより、集塵だけでなく、空気清浄機能も追加することが可能となる。また、ファン２０の下流側で集塵する必要がない場合、ファン２０の下流側に設置されるフィルター１０の位置に、通風抵抗のある部材を配置してもよい。このように通風抵抗のある部材を配置することにより、熱交換器５０へ流入する気流を整流することができ、熱交換器５０へ流入する気流の速度分布を改善することができる（つまり、熱交換器５０の熱交換性能を向上させることができる）。例えば、ファン２０の下流側に設置される通風抵抗のある部材として、熱交換器５０とは別の熱交換器を設けてもよい。これにより、室内機１００の性能（空調性能）を向上させることができる。
【０１９１】
実施の形態１９．
また、ファン２０に付着する粉塵は、以下のように回収してもよい。なお、本実施の形態１９において、特に記述しない項目については実施の形態１５〜実施の形態１８と同様とし、同一の機能や構成については同一の符号を用いて述べることとする。
【０１９２】
実施の形態１８に係る室内機１００は、ファン２０の上流側及び下流側の双方にフィルター１０を配置した構成になっている。このため、室内機１００の厚み（前後方向の幅）を薄く構成する場合、フィルター１０の前面面積が減少し、圧力損失が上昇してしまう可能性がある。
【０１９３】
このような場合、実施の形態１６及び実施の形態１７で示したようにフィルター１０をファン２０の下流側のみに設置し、ファン２０に付着する粉塵を次のように回収するとよい。
【０１９４】
例えば、ファン２０を逆回転させたり、ファン２０の動作点を変更してファン２０をサージングさせて、ファン２０に付着した粉塵を落下させ、この落下した粉塵をファン２０の下流側に設置したフィルター１０で回収してもよい。例えば、室内機１００の吹出口３を上下ベーン７０や左右ベーン８０等で全閉することにより、ファン２０に係る圧力が上昇するので、ファン２０にサージングを起こさせることができる。
【０１９５】
このような構成によれば、フィルター１０をファン２０の下流側の一枚で構成することが可能となる。このため、室内機１００を小型、薄型にした際にも、圧力損失の大幅な増加を回避することが可能となる。
【０１９６】
実施の形態２０．
＜仕切り板＞
本実施の形態２０〜実施の形態２５に、ケーシング１内の風路を分割するために設けられる仕切り板の設置例について説明する。なお、このようにケーシング１内を分割した室内機においても、実施の形態１〜実施の形態４で示したノズル形状を適用しても勿論よい。なお、本実施の形態２０においては、実施の形態１〜実施の形態１９と同一の機能や構成については同一の符号を用いて述べることとする。
【０１９７】
図３８は、本発明の実施の形態２０に係る室内機を示す縦断面図である。また、図３９は、この室内機を示す斜視図である。なお、図３９では、図面の理解を容易とするため、ケーシング１及び仕切り板９０を透過させて示している。
【０１９８】
本実施の形態２０に係る室内機１００は、隣接したファン２０の間に、仕切り板９０が設けられている。本実施の形態２０では、２枚の仕切り板９０が設けられている。これら仕切り板９０は、熱交換器５０とファン２０の間に設置されている。つまり、熱交換器５０とファン２０の間の風路が、複数の風路（本実施の形態２０では３つ）に分割されている。仕切り板９０は、熱交換器５０とファン２０の間に設置されるため、熱交換器５０に接する側の端部が熱交換器５０に沿った形状となっている。より詳しくは、熱交換器５０はΛ型に配置されているため、仕切り板９０の熱交換器５０側端部もΛ型となっている。
【０１９９】
また、仕切り板９０のファン２０側の端部は、隣接するファン２０が吸込側において互いに影響を生じない程度に十分離れている場合、ファン２０の出口面までとする。しかし、隣接するファン２０が吸込側において互いに影響を及ぼす程度に近づいている場合で、さらにベルマウス５の上部５ａの端部（吸い込み側の円弧部分）の形状が十分に大きく形成できる場合、仕切り板９０のファン２０側の端部は、隣接する風路に影響を与えないように（隣接するファン２０が吸込側において互いに影響を及ぼさないように）、ファン２０の上流側（吸入側）まで延設してもよい。本実施の形態２０では、仕切り板９０のファン２０側の端部をファン２０の出口面近傍に配置している。
【０２００】
仕切り板９０は、種々の材質で形成することができる。例えば、スチールやアルミ等の金属で仕切り板９０を形成してもよい。また例えば、樹脂等で仕切り板９０を形成してもよい。
ただし、熱交換器５０は暖房運転のときに高温となるため、仕切り板９０が樹脂等のような低融点の材質で形成されている場合、仕切り板９０と熱交換器５０との間にわずかな空間を形成するとよい。仕切り板９０がアルミやスチール等の融点が高い材質の場合、仕切り板９０を熱交換器５０と接するように配置してもよい。熱交換器５０が例えばフィンチューブ型熱交換器の場合、熱交換器５０のフィン間に仕切り板９０を挿入してもよい。
【０２０１】
上述したように、熱交換器５０とファン２０の間の風路が、複数の風路（本実施の形態２０では３つ）に分割されている。これら分割された風路は、平面視において、一辺がＬ１及びＬ２となった略四角形状に形成されている。つまり、分割された風路の幅が、Ｌ１及びＬ２となっている。
このため、例えば平面視において一辺がＬ１及びＬ２となった略四角形状の内部に設置されたファン２０が送り出した空気は、確実にファン２０の下流にあるこのＬ１及びＬ２で囲まれた領域の熱交換器５０を通過する。
【０２０２】
このように、ケーシング１内を仕切り板９０で分割することにより、ファン２０が下流に作る流れ場が旋回成分を有していても、室内機１００の長手方向（図３８における紙面直交方向）に自由に移動できなくなる。このため、平面視において一辺がＬ１及びＬ２となった略四角形状の内部に設置されたファン２０が送り出した空気を、このファン２０の下流に配置された（このＬ１及びＬ２で囲まれた領域に配置された）熱交換器５０を確実に通過させることが可能となる。したがって、熱交換器５０全体に流入する空気の室内機１００の長手方向（図３８における紙面直交方向）における風速分布を略均一とすることができる（熱交換器５０を通過する空気の速度の箇所毎のバラツキを抑制することができる）。
【０２０３】
また、ケーシング１内を仕切り板９０で分断することにより、ファン２０の旋回流（特にファン２０の下流側の旋回流）が、隣接したファン２０の旋回流（特に隣接したファン２０の下流側の旋回流）と干渉することを防止できる。このため、旋回流同士の干渉によって生じる渦等エネルギーのロスを抑制することができる。したがって、風速分布の改善と合わせて、室内機１００の（より詳しくはケーシング１内の風路における）圧力損失の低減が可能となる。
【０２０４】
なお、仕切り板９０は、ファン２０で発生した音を隣接する風路に透過させない遮音効果も有するとよい。遮音効果を得るためには、仕切り板９０の重量が必要である。このため、金属（スチールやアルミ等）よりも密度の小さい樹脂等を用いて仕切り板９０を形成する場合、仕切り板９０の厚みを大きくするとよい。
【０２０５】
また、各仕切り板９０は一枚の板で形成されている必要はなく、複数の板で形成されていてもよい。例えば、仕切り板９０を前面側熱交換器５１側と背面側熱交換器５５側で二分割してもよい。仕切り板９０を構成する各板どうしの接合箇所に隙間がなければ、仕切り板９０を一枚の板で形成した場合と同様の効果を得られる。仕切り板９０を複数に分割することにより、仕切り板９０の組み付け性が向上する。
【０２０６】
また、本発明の特徴の１つとして、ファン２０の下流側となる風路に熱交換器５０を配置したという特徴があるが、ファン２０の上流に熱交換器５０を配置した室内機においても、仕切り板を設けたことによる効果を得ることは勿論可能である。
【０２０７】
実施の形態２１．
実施の形態２０では、ファン２０と熱交換器５０の間の風路のみを仕切り板９０で分割した。ファン２０と熱交換器５０の間の風路に加え、熱交換器５０より下流側となる風路も仕切り板によって分割することが可能である。なお、本実施の形態２１において、特に記述しない項目については実施の形態２０と同様とし、同一の機能や構成については同一の符号を用いて述べることとする。
【０２０８】
図４０は、本発明の実施の形態２１に係る室内機を示す縦断面図である。
本実施の形態２１に係る室内機１００は、熱交換器５０と吹出口３との間に仕切り板９０ａが設けられている。その他の構成は、実施の形態２０に係る室内機１００と同様である。
【０２０９】
熱交換器５０と吹出口３との間に設けられた仕切り板９０ａは、ファン２０と熱交換器５０との間に設けられた仕切り板９０と同じ数となっており、各仕切り板９０の下方に設けられている。より詳しくは、仕切り板９０ａは、平面視において、仕切り板９０と略平行に設けられている。また、仕切り板９０ａは、平面視において、仕切り板９０と概ね重なりあうように設けられている。これにより、仕切り板９０ａを設けたことによる空気抵抗を抑制している。
【０２１０】
熱交換器５０はΛ型に配置されているため、仕切り板９０ａの熱交換器５０側端部（上側端部）もΛ型となっている。このとき、熱交換器５０と仕切り板９０ａが接触しないように、仕切り板９０ａは配置されている。冷房運転時、熱交換器５０は低温となる。このため、空気中の水分が結露し、熱交換器５０の表面に水滴が付着する。熱交換器５０と仕切り板９０ａが接触していると、熱交換器５０の表面に付着した水滴が仕切り板９０ａに移ってしまう。この仕切り板９０ａに移ってきた水滴は、仕切り板９０を伝わって吹出口３まで移動し、吹出口３から吹き出される空気に同伴され、周囲に飛散してしまう。この水滴の飛散は、使用者に不快な思いをさせる可能性があり、空気調和機にとってあってはならない現象である。このため、熱交換器５０の表面に付着した水滴が吹出口３から飛散することを防止するため、熱交換器５０と仕切り板９０ａが接触しないように、仕切り板９０ａは配置されている。
【０２１１】
以上、このように構成された室内機１００においては、仕切り板９０ａを配置することにより、熱交換器５０と吹出口３との間においても、隣接した風路からの気流の影響を抑制することが可能となる。換言すると、仕切り板９０ａを配置することにより、熱交換器５０と吹出口３との間においても、ファン２０の旋回流が、隣接したファン２０の旋回流と干渉することを防止できる。このため、熱交換器５０と吹出口３との間においても、旋回流同士の干渉によって生じる渦等エネルギーのロスを抑制することができる。また、吹出口３から吹き出される空調空気の室内機１００の長手方向（図４０における紙面直交方向）における風速分布を略均一とすることができる（吹出口３から吹き出される空調空気の箇所毎の速度のバラツキを抑制することができる）。したがって、より圧力損失の低い空気調和機（より詳しくは室内機）を得ることができる。
【０２１２】
なお、本実施の形態２１では、仕切り板９０ａの下側端部が吹出口３まで延設された場合を説明したが、仕切り板９０ａの下側端部は熱交換器５０と吹出口３との間にあっても勿論よい。仕切り板９０ａを設けたことにより、実施の形態２０よりも圧力損失が低減する。
【０２１３】
実施の形態２２．
実施の形態２０及び実施の形態２１では、ファン２０の数と風路の分割数とを同数とした。これに限らず、風路の分割数をファン２０の数よりも多くしてもよい。なお、本実施の形態２２において、特に記述しない項目については実施の形態２０又は実施の形態２１と同様とし、同一の機能や構成については同一の符号を用いて述べることとする。
【０２１４】
図４１は、本発明の実施の形態２２に係る室内機を示す斜視図である。この図４１では、図面の理解を容易とするため、ケーシング１及び仕切り板９０を透過させて示している。
【０２１５】
本実施の形態２２に係る室内機１００は、各仕切り板９０の間に、仕切り板９１が設けられている。つまり、本実施の形態２２では、実施の形態２０で分割した風路を、仕切り板９１によってさらに分割している。つまり、Ｌ１とＬ２に囲まれた領域に配置された熱交換器５０には、ファン２０が発生する風量のおよそ半分が流入することとなる。その他の構成は、実施の形態２０に係る室内機１００と同様である。
【０２１６】
仕切り板９１は、隣接する仕切り板９０の間隔をほぼ均等に分割できる位置に配置される。これら仕切り板９１は、仕切り板９０と同様に種々の材質で形成することができる。例えば、スチールやアルミ等の金属で仕切り板９０を形成してもよい。また例えば、樹脂等で仕切り板９０を形成してもよい。なお、仕切り板９１は、仕切り板９０と同様に遮音効果も有するほうがよい。このため、金属（スチールやアルミ等）よりも密度の小さい樹脂等を用いて仕切り板９１を形成する場合、仕切り板９１の厚みを大きくするとよい。
【０２１７】
仕切り板９１の熱交換器５０側端部の形状は、熱交換器５０に沿って略Λ型となっている。仕切り板９１が樹脂等のような低融点の材質で形成されている場合、熱交換器５０は暖房運転のときに高温となるため、仕切り板９１と熱交換器５０との間にわずかな空間を形成するとよい。仕切り板９１がアルミやスチール等の融点が高い材質の場合、仕切り板９１を熱交換器５０と接するように配置してもよく、熱交換器５０のフィン５６とフィン５６の間に仕切り板９１を挿入してもよい。
【０２１８】
仕切り板９１のファン２０側端部の形状は、ファン２０の出口面と略平行となっている。なお、仕切り板９１のファン２０側の形状は、ファン２０の回転中心付近を高くして周囲に行くほど低くなるような山形形状でもよい。
【０２１９】
また、仕切り板９１のファン２０側端部の高さは、以下のように設定するとよい。
【０２２０】
例えば、ファン２０と熱交換器５０が近い場合、仕切り板９１のファン２０側端部をファン２０に近づけ過ぎると、仕切り板９１が空気の流れの抵抗となってしまう。このため、ファン２０と熱交換器５０が近い場合、仕切り板９１のファン２０側端部とファン２０との距離をできるだけ遠くした方がよい。したがって、ファン２０と熱交換器５０が近い場合、仕切り板９１のファン２０側端部の高さは、熱交換器５０の上端部（ファン２０と最も近接した位置）と同程度の高さとすればよい。仕切り板９１のファン２０側端部を熱交換器５０の傾斜面の途中に配置しても勿論よい。
【０２２１】
また例えば、ファン２０と熱交換器５０との間に十分な距離がある場合、仕切り板９１が空気の流れの抵抗となることはない。このため、ファン２０と熱交換器５０との間に十分な距離がある場合、仕切り板９１のファン２０側端部の高さを、熱交換器５０の上端部（ファン２０と最も近接した位置）よりも高くするとよい。
【０２２２】
以上、このように構成された室内機１００においては、分割された風路の幅Ｌ１を、実施の形態２０に係る室内機１００よりも小さくすることができる。このため、本実施の形態２２に係る室内機１００は、実施の形態２０に係る室内機１００と比べ、ファン２０の発生する旋回流による幅方向の自由度がさらに減少する。したがって、本実施の形態２２に係る室内機１００は、実施の形態２０に係る室内機１００と比べ、より風速分布の悪化を改善できる（速度分布をより均一化できる）。
【０２２３】
なお、実施の形態２１と同様に、熱交換器５０と吹出口３との間の風路で各仕切り板９１の下方となる位置に、さらに仕切り板を設けてもよい。このように構成することにより、実施の形態２１と同様に、熱交換器５０と吹出口３との間においても、ファン２０の旋回流が、隣接したファン２０の旋回流と干渉することを防止できる。
【０２２４】
実施の形態２３．
実施の形態２２においては、ケーシング１の前後方向に延設された仕切り板９０を設け、さらにその分割数を多くするため、仕切り板９１でケーシング１内の風路を分割した。これら仕切り板９１は、ファン２０の出口面に対して垂直に配置したものであった。しかしながら、仕切り板９１は実施の形態２２のように限定されるものでなく、少なくとも仕切り板９１の上端部をファン２０の出口面に対して傾斜させて配置してもよい。このような仕切り板９１とすることにより、ファン２０の発生する旋回流をスムーズに誘導して下流側の熱交換器５０に流入させることが可能となる。なお、本実施の形態２３において、特に記述しない項目については実施の形態２０〜実施の形態２２と同様とし、同一の機能や構成については同一の符号を用いて述べることとする。
【０２２５】
図４２は、本発明の実施の形態２３に係る室内機を示す斜視図である。図４２では、図面の理解を容易とするため、ケーシング１及び仕切り板９０を透過させて示した。
【０２２６】
本実施の形態２３に係る室内機１００の基本構成は、実施の形態２２に係る室内機１００と同様である。以下では、本実施の形態２３に係る室内機１００と実施の形態２２に係る室内機１００との差異点について説明する。
【０２２７】
本実施の形態２３に係る室内機１００の仕切り板９１は、その上端部９１ａが折り曲げ形成されている。そして、仕切り板９１の上端部９１ａが、ファン２０の出口面に対して傾斜するように配置されている。この傾斜方向はファン２０の吹出流の方向となっている。室内機１００に設けられているファン２０が軸流型のファンや斜流型のファンの場合、図４２に示すように、室内機１００の前面側と背面側とでは上端部９１ａ傾斜方向が逆になる。
【０２２８】
なお、仕切り板９１の上端部９１ａの断面形状は、直線となっていてもよいし、曲線形状となっていてもよい。また、上端部９１ａのみでなく、仕切り板９１全体をファン２０の出口面に対して傾斜するように配置してもよい。
【０２２９】
以上、このように構成された室内機１００においては、ファン２０の発生する旋回流をスムーズに誘導して下流側の熱交換器５０に流入させることが可能となる。このため、ファン２０の発生する旋回流と仕切り板９１との干渉による損失を低減することができる。したがって、本実施の形態２３に係る室内機１００は、実施の形態２２に係る室内機１００と較べ、風路における圧力損失をより低減させることが可能となる。
【０２３０】
実施の形態２４．
実施の形態２０〜実施の形態２３においては、ケーシング１の前後方向に延設された仕切り板を設け、ケーシング１内の風路を分割した。ケーシング１の左右方向（長手方向）に延設された仕切り板をさらに設けることで、ケーシング１内の風路をさらに分割することができる。なお、本実施の形態２４において、特に記述しない項目については実施の形態２０〜実施の形態２３と同様とし、同一の機能や構成については同一の符号を用いて述べることとする。
【０２３１】
図４３は、本発明の実施の形態２４に係る室内機を示す斜視図である。また、図４４は、この室内機の縦断面図である。なお、図４３では、図面の理解を容易とするため、ケーシング１及び仕切り板９０を透過させて示している。
【０２３２】
本実施の形態２４に係る室内機１００の基本構成は、実施の形態２２に係る室内機１００と同様である。以下では、本実施の形態２４に係る室内機１００と実施の形態２２に係る室内機１００との差異点について説明する。
【０２３３】
本実施の形態２４に係る室内機１００は、実施の形態２２に係る室内機１００に、ケーシング１内の風路を左右方向に分割する仕切り板９２が設けられている。この仕切り板９２は、前面側熱交換器５１と背面側熱交換器５５との間に設けられており、仕切り板９０及び仕切り板９１と略直角に交わるように配置されている。つまり、Ｌ１とＬ２に囲まれた領域に配置された熱交換器５０には、ファン２０が発生する風量のおよそ四分の一が流入することとなる。
【０２３４】
なお、仕切り板９２の下側端部（吹出口３側端部）の位置は、以下のように設定するとよい。
【０２３５】
例えば、図４４に示すように、仕切り板９２を平板にした場合、仕切り板９２の下側端部を下方まで延ばしすぎると、風路の面積が減少して（風路が仕切り板９２により塞がれて）、空気の流れの抵抗となってしまう。このため、仕切り板９２を平板にした場合、仕切り板９２の下側端部の位置は、ノズル６の風上側に配置する。
【０２３６】
例えば、図４５に示すように、仕切り板９２の下側がノズル６の形状に合わせた曲面となっている場合、仕切り板９２の下側端部を吹出口３まで延ばしてもよい。仕切り板９２の下側端部を吹出口３まで延ばすことにより、ノズル６内から吹出口３での風速の強弱の低減が可能である。
【０２３７】
以上、このように構成された室内機１００においては、分割された風路の幅Ｌ２を、実施の形態２０〜実施の形態２３に係る室内機１００よりも小さくすることができる。このため、本実施の形態２４に係る室内機１００は、ファン２０の発生する旋回流による幅方向の自由度がさらに減少する。したがって、本実施の形態２４に係る室内機１００は、実施の形態２０〜実施の形態２３に係る室内機１００と比べ、より風速分布の悪化を改善できる（速度分布をより均一化できる）。
【０２３８】
実施の形態２５．
実施の形態２０〜実施の形態２４で示した仕切り板の表面に、後述のような吸音材を設けてもよい。又は、仕切り板を吸音材で構成してもよい。なお、本実施の形態２５において、特に記述しない項目については実施の形態２０〜実施の形態２４と同様とし、同一の機能や構成については同一の符号を用いて述べることとする。
【０２３９】
図４６は、本発明の実施の形態２５に係る室内機を示す斜視図である。この図４６では、図面の理解を容易とするため、ケーシング１及び仕切り板９０を透過させて示している。
【０２４０】
本実施の形態２５に係る室内機１００は、仕切り板９０の両面に吸音材９３を設けている。この吸音材９３の材質は、ウレタン、多孔質の樹脂、多孔質のアルミ等である。このような吸音材９３は、低周波の消音効果は小さいが、例えば１ｋＨｚ以上の高周波を消音することができる。吸音材９３の厚みは、厚いほど低い周波数を吸収できる。なお、能動的消音機構を設けることにより、例えば１ｋＨｚ以下の音を消音することも可能となる。この場合、吸音材９３は、例えば２ｋＨｚの音を吸音する２０ｍｍ以下の厚みで十分効果を得ることができる。
【０２４１】
なお、仕切り板９０の材質は、実施の形態２０〜実施の形態２４と同様に、種々の材質で形成することができる。例えば、スチールやアルミ等の金属で仕切り板９０を形成してもよい。また例えば、樹脂等で仕切り板９０を形成してもよい。さらに仕切り板自体を吸音材で構成してもよい。
【０２４２】
以上、このように構成された室内機１００においては、仕切り板９０等によってファン２０の発生する旋回流の影響を低減できるだけでなく、ファン２０から発生する騒音も低減することができる。
【０２４３】
実施の形態２６．
本実施の形態２０〜実施の形態２５のようにケーシング１内の風路を複数に分割した空気調和機（より詳しくは空気調和機の室内機）においては、下記のように能動的消音機構を設けることにより、ファン２０が発生する音（騒音）を従来よりも効果的に消音することができる。なお、本実施の形態２５において、特に記述しない項目については実施の形態２０〜実施の形態２５と同様とし、同一の機能や構成については同一の符号を用いて述べることとする。
【０２４４】
図４７は、本発明の実施の形態２６に係る室内機を示す縦断面図である。
本実施の形態２６に係る室内機１００は、実施の形態２０で示した室内機１００に能動的消音機構を設けたものとなっている。本実施の形態２６の消音機構は、騒音検出マイクロホン１６１、制御スピーカー１８１及び消音効果検出マイクロホン１９１を備えている。
【０２４５】
本実施の形態２６で用いている消音方式は、実施の形態１で示した消音方式と同様である。より詳しくは、騒音源から発生した音を検出し、その検出結果に基づいて生成された制御音を出力（放射）する制御方法である。この制御方法には、騒音源から発生した音を検出するマイクロフォン（本実施の形態２６の騒音検出マイクロホン１６１に相当）、このマイクロフォンで検出された音に基づいて作成された制御音を出力するスピーカー（本実施の形態２６の制御スピーカー１８１に相当）、及び静粛を保ちたい領域（以下、静粛領域と称する）に設けられ、静粛領域の音を検出するマイクロフォン（本実施の形態２６の消音効果検出マイクロホン１９１に相当）等を用いる。
【０２４６】
図４７に示すように、騒音検出マイクロホン１６１は、音源となるファン２０の近傍に配置されている。本実施の形態２６では、騒音検出マイクロホン１６１は、ケーシング１の前面側に配置されている。
【０２４７】
制御スピーカー１８１は、騒音検出マイクロホン１６１よりも下流側の風路に配置される。本実施の形態２６では、制御スピーカー１８１は、ケーシング１の前面側に配置されている。このとき、制御スピーカー１８１は、制御スピーカー１８１から出力した音が風路内に放射できるように、風路内の空気と接するように配置されている。また、制御スピーカー１８１の後方（風路とは反対側）は、ボックス１８４で覆われている。このボックス１８４内の空間が、低周波の音を発生させるために必要なバックチャンバー１８４ａとなる。
【０２４８】
静粛領域の音を検出する消音効果検出マイクロホン１９１は、静粛領域となる吹出口３の近傍に設置されている。
【０２４９】
次に、図４８を用いて、本実施の形態２６に係る室内機１００の内部構造及び消音機構の配置位置について、さらに詳細に説明する。
【０２５０】
図４８は、本発明の実施の形態２６に係る室内機を示す斜視図である。この図４８では、図面の理解を容易とするため、ケーシング１及び仕切り板９０を透過させて示し、ボックス１８４（バックチャンバー１８４ａ）及び信号処理装置２０１等の図示を省略している。
【０２５１】
仕切り板９０によって分割された風路のそれぞれには、騒音検出マイクロホン１６１及び制御スピーカー１８１が設けられている。
【０２５２】
上述のように、熱交換器５０とファン２０の間の風路が、複数の風路（本実施の形態２６では３つ）に分割されている。これら分割された風路は、平面視において、一辺がＬ１及びＬ２となった略四角形状に形成されている。つまり、分割された風路の幅が、Ｌ１及びＬ２となっている。
このため、例えば、Ｌ１＜Ｌ２とした場合、ファン２０で発生した音が分割された風路を通過する際、半波長がＬ１よりも短い周波数ｆの音は、平面波化（一次元化）して伝播する。また、例えば、Ｌ１＞Ｌ２とした場合、ファン２０で発生した音が分割された風路を通過する際、半波長がＬ２よりも短い周波数ｆの音は、平面波化（一次元化）して伝播する。
【０２５３】
このように、ケーシング１内の風路を仕切り板９０で分割することにより、分割された風路の短い側の幅よりも半波長が短い周波数の音を、平面波化（一次元化）することができる。また、ケーシング１内の風路の分割数を多くするほど、より高い周波数まで平面波化（一次元化）することができる。
平面波化（一次元化）できる周波数ｆを式で表すと、
ｆ  ＜  ｃ／（２＊Ｌ）
となる。ここで、ｃは音速である。また、Ｌは、Ｌ１及びＬ２のうち、長さの短い側の値である。
【０２５４】
ファン２０で発生した音のうち平面波化した音は、分割された風路のそれぞれに設けられた騒音検出マイクロホン１６１によって検出され、分割された風路のそれぞれに設けられた制御スピーカー１８１から出力される逆位相の制御音によって消音される。このとき、平面波化した音は重ね合わせにるよる消音効果が得られやすくなり、効果的に消音される。
一方、平面波化していない音は、ケーシング１の風路内で反射を繰り返し、吹出口３まで伝播する。このように平面波化していない音は、音の腹や節の位置がケーシング１の風路内において無秩序に存在するため、能動的消音方法では大きな消音効果を得にくい。
【０２５５】
以上、このように構成された室内機１００においては、仕切り板９０でケーシング１内の風路を分割し、分割された風路のそれぞれに制御スピーカー１８１を設けることにより、従来よりも高い周波数まで消音効果を得ることができる。また、ケーシング１内の風路の分割数を多くするほど、より高い周波数で消音効果を得ることができる。
【０２５６】
また、仕切り板９０は、ファン２０で発生した音を隣接する風路に透過させない遮音効果も有する。平面波化した音の一部が隣接する風路に侵入すると、音が浸入した風路においては、浸入した音と同じ周波数の音は平面波ではなくなり、消音効果が低下する。遮音効果を得るためには、仕切り板９０の重量が必要である。このため、金属（スチールやアルミ等）よりも密度の小さい樹脂等を用いて仕切り板９０を形成する場合、仕切り板９０の厚みを大きくするとよい。
【０２５７】
また、消音機構のうち、騒音検出マイクロホン１６１及び制御スピーカー１８１は、熱交換器５０よりも風上側となる風路に配置されている。このため、冷房運転時に熱交換器５０を通過して温度の低下した空気が、騒音検出マイクロホン１６１及び制御スピーカー１８１を通過することを防止できる。したがって、騒音検出マイクロホン１６１及び制御スピーカー１８１への結露を防止でき、騒音検出マイクロホン１６１及び制御スピーカー１８１の信頼性が向上する。
【０２５８】
なお、本実施の形態２６に係る室内機１００では、騒音検出マイクロホン１６１及び制御スピーカー１８１をケーシング１の前面側に配置したが、騒音検出マイクロホン１６１及び制御スピーカー１８１の少なくとも一方をケーシング１の後面側に配置しても勿論よい。
【０２５９】
実施の形態２７．
実施の形態２１で示した室内機１００に、能動的消音機構を設けても勿論よい。なお、本実施の形態２７において、特に記述しない項目については実施の形態２６と同様とし、同一の機能や構成については同一の符号を用いて述べることとする。
【０２６０】
図４９は、本発明の実施の形態２７に係る室内機を示す縦断面図である。
本実施の形態２７に係る室内機１００は、実施の形態２１で示した室内機１００に能動的消音機構を設けたものとなっている。
【０２６１】
以上、このように構成された室内機１００においては、仕切り板９０ａを配置することにより、熱交換器５０と吹出口３との間においても、ファン２０で発生した音を平面波化することができる。このため、ファン２０と熱交換器５０との間で消音できなかった音を、熱交換器５０と吹出口３との間で消音できるようになる。したがって、より消音効果の高い空気調和機（より詳しくは室内機）を得ることができる。
【０２６２】
なお、本実施の形態２７では、仕切り板９０ａの下側端部が吹出口３まで延設された場合を説明したが、仕切り板９０ａの下側端部は熱交換器５０と吹出口３との間にあっても勿論よい。仕切り板９０ａを設けたことにより、実施の形態２６よりも消音効果が向上する。
【０２６３】
実施の形態２８．
実施の形態２２及び実施の形態２３で示した室内機１００に、能動的消音機構を設けても勿論よい。なお、本実施の形態２８において、特に記述しない項目については実施の形態２６又は実施の形態２７と同様とし、同一の機能や構成については同一の符号を用いて述べることとする。
【０２６４】
図５０は、本発明の実施の形態２８に係る室内機を示す斜視図である。この図５０では、図面の理解を容易とするため、ケーシング１及び仕切り板９０を透過させて示し、ボックス１８４（バックチャンバー１８４ａ）及び信号処理装置２０１等の図示を省略している。
【０２６５】
本実施の形態２８に係る室内機１００は、実施の形態２２で示した室内機１００に能動的消音機構を設けたものとなっている。つまり、本実施の形態２８では、実施の形態２６で分割した風路を、仕切り板９１によってさらに分割している。このため、本実施の形態２８に係る室内機１００は、分割された風路と同数の消音機構（騒音検出マイクロホン１６１、制御スピーカー１８１、消音効果検出マイクロホン１９１）を備えており、分割された風路のそれぞれに騒音検出マイクロホン１６１及び制御スピーカー１８１が設けられている。
【０２６６】
以上、このように構成された室内機１００においては、分割された風路の幅Ｌ１を、実施の形態２６に係る室内機１００よりも小さくすることができる。このため、本実施の形態２８に係る室内機１００は、実施の形態２６に係る室内機１００と比べ、より周波数の高い音を平面波化でき、消音できる。
【０２６７】
なお、実施の形態２７と同様に、熱交換器５０と吹出口３との間の風路で各仕切り板９１の下方となる位置に、さらに仕切り板を設けてもよい。このように構成することにより、実施の形態２７と同様に、ファン２０が発生する音を平面波化している区間が広がり、より高い消音効果を得ることができる。
【０２６８】
実施の形態２９．
実施の形態２４で示した室内機１００に、能動的消音機構を設けても勿論よい。なお、本実施の形態２９において、特に記述しない項目については実施の形態２６〜実施の形態２８と同様とし、同一の機能や構成については同一の符号を用いて述べることとする。
【０２６９】
図５１は、本発明の実施の形態２９に係る室内機を示す斜視図である。また、図５２は、この室内機の縦断面図である。なお、図５１では、図面の理解を容易とするため、ケーシング１及び仕切り板９０を透過させて示し、ボックス１８４（バックチャンバー１８４ａ）及び信号処理装置２０１等の図示を省略している。
【０２７０】
本実施の形態２９に係る室内機１００は、実施の形態２４で示した室内機１００に能動的消音機構を設けたものとなっている。つまり、本実施の形態２９に係る室内機１００は、実施の形態２８に係る室内機１００に、ケーシング１内の風路を左右方向に分割する仕切り板９２が設けられている。この仕切り板９２は、前面側熱交換器５１と背面側熱交換器５５との間に設けられており、仕切り板９０及び仕切り板９１と略直角に交わるように配置されている。
【０２７１】
本実施の形態２９に係る室内機１００においても、分割された風路と同数の消音機構（騒音検出マイクロホン１６１、制御スピーカー１８１、消音効果検出マイクロホン１９１）を設けている。つまり、仕切り板９２を設けることによりケーシング１内の風路は前後方向にも分割されることとなるので、本実施の形態２９に係る室内機１００は、ケーシング１の前面側のみならずケーシング１の後面側にも消音機構を設けている。
【０２７２】
なお、仕切り板９２の下側端部（吹出口３側端部）の位置は、以下のように設定するとよい。
【０２７３】
例えば、図５２に示すように、仕切り板９２を平板にした場合、仕切り板９２の下側端部を下方まで延ばしすぎると、風路の面積が減少して（風路が仕切り板９２により塞がれて）、空気の流れの抵抗となってしまう。このため、仕切り板９２を平板にした場合、仕切り板９２の下側端部の位置は、ノズル６の風上側に配置する。
【０２７４】
例えば、図５３に示すように、仕切り板９２の下側がノズル６の形状に合わせた曲面となっている場合、仕切り板９２の下側端部を吹出口３まで延ばしてもよい。仕切り板９２の下側端部を吹出口３まで延ばすことにより、ファン２０が発生する音を平面波化している区間が広がり、より高い消音効果を得ることができる。
【０２７５】
以上、このように構成された室内機１００においては、分割された風路の幅Ｌ２を、実施の形態２６〜実施の形態２８に係る室内機１００よりも小さくすることができる。このため、本実施の形態２９に係る室内機１００は、実施の形態２６〜実施の形態２８に係る室内機１００と比べ、より周波数の高い音を平面波化でき、消音できる。
【０２７６】
実施の形態３０．
実施の形態２５で示した室内機１００に、能動的消音機構を設けても勿論よい。なお、本実施の形態３０において、特に記述しない項目については実施の形態２６〜実施の形態２９と同様とし、同一の機能や構成については同一の符号を用いて述べることとする。
【０２７７】
図５４は、本発明の実施の形態３０に係る室内機を示す斜視図である。この図５４では、図面の理解を容易とするため、ケーシング１及び仕切り板９０を透過させて示し、ボックス１８４（バックチャンバー１８４ａ）及び信号処理装置２０１等の図示を省略している。
【０２７８】
本実施の形態３０に係る室内機１００は、実施の形態２５で示した室内機１００に能動的消音機構を設けたものとなっている。つまり、本実施の形態３０に係る室内機１００は、実施の形態２６で示した室内機１００の仕切り板９０の両面に吸音材９３を設けている。この吸音材９３の材質は、ウレタン、多孔質の樹脂、多孔質のアルミ等である。このような吸音材９３は、低周波の消音効果は小さいが、例えば１ｋＨｚ以上の高周波を消音することができる。吸音材９３の厚みは、厚いほど低い周波数を吸収できる。しかしながら、室内機１００は、能動的消音方法を用いることによって例えば１ｋＨｚ以下の音を消音できる。このため、吸音材９３は、例えば２ｋＨｚの音を吸音する２０ｍｍ以下の厚みで十分効果を得ることができる。
【０２７９】
以上、このように構成された室内機１００においては、能動的消音方法によって、低周波の音を効率的に消音することができる。また、能動的消音方法では消音しきれない高周波の音も、吸音材９３によって消音することができる。
【０２８０】
実施の形態３１．
＜仕切りレス化＞
実施の形態１等では、仕切り板（仕切り板９０等）でケーシング１内の風路を分割することにより、隣接するファン２０同士の旋回流の影響を抑制した。本発明に係る室内機１００は複数のファン２０を備えているので、これらファン２０の回転方向を以下のように設定することにより、仕切り板９０を設けなくとも隣接するファン２０同士の旋回流の影響を抑制できる。なお、本実施の形態３１においては、実施の形態１〜実施の形態３０と同一の機能や構成については同一の符号を用いて述べることとする。
【０２８１】
図５５は、本発明の実施の形態３１に係る室内機を示す斜視図である。
本実施の形態３１に係る室内機１００においても、実施の形態１に係る室内機１００と同様に、複数のファン２０が設けられている。本実施の形態３１に係る室内機１００は、図５５に示すように、３つのファン２０がケーシング１の左右方向（長手方向）に沿って配設されている。これら３つのファン２０は、ファン仕様（ファン形状等）が同じとなっている。また、本実施の形態３１に係る室内機１００は、ケーシング１内に仕切り板（仕切り板９０等）が設けられていない構成となっている。なお、説明の便宜上、各ファン２０を区別して説明する必要がある場合は、ケーシング１の左側から順にファン２０Ａ、ファン２０Ｂ及びファン２０Ｃと称することとする。
【０２８２】
また、本実施の形態３１では、各ファン２０（ファン２０Ａ〜ファン２０Ｃ）の回転方向を次のように設定している。
【０２８３】
図５６は、本発明の実施の形態３１に係る室内機におけるファン回転方向とケーシング内に発生する気流との関係を示す説明図である。なお、この図５６は、室内機１００の平面断面図を示しており、図５６の下側が室内機１００の前面側となっている。また、図５６では、熱交換器５０の上端部のみを図示している。ここで、本実施の形態３１〜実施の形態３５においては、熱交換器５０の上部に位置する変局部（例えば前面側熱交換器５１と背面側熱交換器５５の接続部）も上端部と称することとする。
【０２８４】
図５６に示すように、ファン２０Ａ〜ファン２０Ｃの全てが同一方向に回転する場合、ケーシング１内に発生する気流は次のようになる。なお、図５６では、室内機１００を平面視した状態において、反時計回り方向にファン２０Ａ〜ファン２０Ｃが回転している。ファン２０Ａ〜ファン２０Ｃの回転方向が全て同一の場合、各ファン２０の領域２７ａ（ケーシング１に設置したファン２０を平面視したときに、ファン２０の並設方向と略垂直側にできる領域）に発生する気流は、同方向となる。このため、この領域２７ａに発生する気流が増速され、ケーシング１内には、図５６の白抜き矢印で示すような流れ場が発生する。このため、ファン２０Ａ〜ファン２０Ｃの回転方向が全て同一の場合、下流に配置された熱交換器５０に流入する空気の風速分布に大きなバラツキが生じてしまう。例えば、図５６に示すような場合、熱交換器５０の前面右側（図５６の右下側）及び背面左側（図５６の左上側）に多くの空気が流入してしまう。また、図５６に示すような場合、熱交換器５０の前面左側（図５６の左下側）及び背面右側（図５６の右上側）に流入する空気が不足してしまう。
【０２８５】
特に、熱交換器５０の上端部上方にファン２０が設けられた本実施の形態３１に係る室内機１００においては、ファン２０と熱交換器５０上端部との間に十分な距離を確保できない場合、領域２７ｂ（ケーシング１に設置したファン２０を平面視したときに、ファン２０の並設方向にできる領域）の気流の風速は、領域２７ａよりも小さくなってしまう。このため、熱交換器５０の上端部上方にファン２０が設けられた本実施の形態３１に係る室内機１００においては、領域２７ａの気流の風速がより大きくなり、熱交換器５０に流入する空気の風速分布のバラツキがより大きくなってしまう。
【０２８６】
そこで、本実施の形態３１に係る室内機１００は、隣接するファン２０の回転方向が互いに逆方向となるように、各ファン２０（ファン２０Ａ〜ファン２０Ｃ）の回転方向を設定している。
【０２８７】
図５７は、本発明の実施の形態３１に係る室内機の平面断面図である。
図５７に示すように、隣接するファン２０の回転方向が互いに逆方向となっている。本実施の形態３１では、室内機１００を平面視した状態において、ファン２０Ａの回転方向は反時計回り方向となっている。そして、ファン２０Ａと隣接するファン２０Ｂの回転方向は、ファン２０Ａと逆方向の時計回り方向となっている。また、ファン２０Ｂと隣接するファン２０Ｃの回転方向は、ファン２０Ｂと逆の反時計回り方向としている。なお、各ファン２０の回転方向は、図５７に示す方向に限定されるものではない。隣接するファン２０の回転方向が互いに逆方向となっていればよい。
【０２８８】
このように隣接するファン２０の回転方向を逆方向に設定することにより、ケーシング１内には、図５７の白抜き矢印で示すような流れ場が発生する。つまり、隣接するファン２０間において、領域２７ａの気流が隣接するファン２０間で衝突し（向かい合う方向となり）、そのまま下流に配置された熱交換器５０に流入することとなる。このため、隣接するファン２０の回転方向を逆方向に設定することにより、各ファン２０が同一方向に回転する場合（図５６）と比べ、熱交換器５０に流入する空気の風速分布のバラツキを改善できる。したがって、隣接するファン２０の回転方向を逆方向に設定することにより、室内機１００の圧力損失を低減でき、熱交換器５０の熱交換性能を向上することができる。
【０２８９】
さらに、本実施の形態３１に係る室内機１００は、仕切り板（仕切り板９０等）を用いていないので、部品コストや製造コスト（仕切り板をケーシングに取り付ける工数等）を削減することもできる。
【０２９０】
なお、各ファン２０の並設方向は、ケーシング１の左右方向と厳密に平行である必要はない。例えば図５８に示すように、各ファン２０をケーシング１の前後方向に若干ずらして配置しても勿論よい。
【０２９１】
実施の形態３２．
複数のファン２０は、ケーシング１の前後方向に並設される場合もある。このような場合、ケーシング１の前後方向に隣接するファン２０の回転方向は、例えば次のように設定すればよい。なお、本実施の形態３２において、特に記述しない項目については実施の形態３１と同様とし、同一の機能や構成については同一の符号を用いて述べることとする。
【０２９２】
図５９は、本発明の実施の形態３２に係る室内機の平面断面図である。なお、この図５９は、下側が室内機１００の前面側となっている。また、図５９では、熱交換器５０の上端部のみを図示している。
【０２９３】
本実施の形態３２に係る室内機１００は、６つのファン２０を備えている。より詳しくは、ケーシング１の背面側に、その左右方向に沿って３つのファン２０が並設されている。また、ケーシング１の前面側に、その左右方向に沿って３つのファン２０が並設されている。ケーシング１の前面側に配置されたファン２０と背面側に配置されたファン２０とは、ケーシング１の前後方向に沿って配置されている。これら６つのファン２０は、ファン仕様（ファン形状等）が同じとなっている。また、本実施の形態３２に係る室内機１００は、ケーシング１内に仕切り板（仕切り板９０等）が設けられていない構成となっている。なお、説明の便宜上、各ファン２０を区別して説明する必要がある場合は、ケーシング１の背面側に並設されたファン２０を左側から順にファン２０Ａ、ファン２０Ｂ及びファン２０Ｃと称し、ケーシング１の前面側に並設されたファン２０を左側から順にファン２０Ｄ、ファン２０Ｅ及びファン２０Ｆと称する。
【０２９４】
また、本実施の形態３２に係る室内機１００は、上端部を２つ有する熱交換器５０が設けられている。上端部を２つ有する熱交換器５０とは、例えば、後述する右側縦断面が略Ｎ型、略И型又は略Ｍ型の熱交換器５０である。そして、ケーシング１の背面側に並設されたファン２０Ａ〜ファン２０Ｃは、熱交換器５０の背面側上端部の上方に設けられ、ケーシング１の前面側に並設されたファン２０Ｄ〜ファン２０Ｆは、熱交換器５０の前面側上端部の上方に設けられている。
【０２９５】
本実施の形態３２に係る室内機１００においては、各ファン２０の回転方向を次のように設定している。
ケーシング１の左右方向に並設された各ファン２０は、隣接するファン２０の回転方向が互いに逆方向となっている。また、ケーシング１の前後方向に並設された各ファン２０（ファン２０Ａとファン２０Ｄ、ファン２０Ｂとファン２０Ｅ、ファン２０Ｃとファン２０Ｆ）は、隣接するファン２０の回転方向が同方向に設定されている。
【０２９６】
このように各ファン２０の回転方向を設定することにより、ケーシング１内には、図５９の白抜き矢印で示すような流れ場が発生する。つまり、左右方向に隣接するファン２０間において、領域２７ａの気流が隣接するファン２０間（図５９に縦方向の点線で示す範囲）で衝突し、そのまま下流に配置された熱交換器５０に流入することとなる。このため、左右方向に隣接するファン２０の回転方向を逆方向に設定することにより、実施の形態３１と同様に、熱交換器５０に流入する空気の風速分布のバラツキを改善できる。したがって、左右方向に隣接するファン２０の回転方向を逆方向に設定することにより、室内機１００の圧力損失を低減でき、熱交換器５０の熱交換性能を向上することができる。なお、本実施の形態３２では、熱交換器５０の上端部の上方に各ファン２０を設けているので、領域２７ｂの気流よりも領域２７ａの気流の方が、早い風速となっている。
【０２９７】
さらに、本実施の形態３２に係る室内機１００は、前後方向に隣接するファン２０の回転方向を同じにしているので、領域２７ａの気流が隣接するファン２０間で衝突し、そのまま下流に配置された熱交換器５０に流入することとなる。このため、前後方向においても、仕切り板を配置したときと同様の効果（風速分婦の改善による圧力損失の低減、及び熱交換性能の向上）を得ることができる。
【０２９８】
なお、ケーシング１の左右方向に沿った各ファン２０の並設方向は、ケーシング１の左右方向と厳密に平行である必要はない。各ファン２０をケーシング１の前後方向に若干ずらして配置しても勿論よい。また、ケーシング１の前後方向に沿った各ファン２０の並設方向は、ケーシング１の前後方向と厳密に平行である必要はない。各ファン２０をケーシング１の左右方向に若干ずらして配置しても勿論よい。
【０２９９】
実施の形態３３．
また、ファン２０がケーシング１の前後方向にも並設される場合、ケーシング１の前後方向に隣接するファン２０の回転方向を、例えば次のように設定してもよい。なお、本実施の形態３３において、特に記述しない項目については実施の形態３１又は実施の形態３２と同様とし、同一の機能や構成については同一の符号を用いて述べることとする。
【０３００】
図６０は、本発明の実施の形態３３に係る室内機の平面断面図である。なお、この図６０は、下側が室内機１００の前面側となっている。また、図６０では、熱交換器５０の上端部のみを図示している。
【０３０１】
本実施の形態３３に係る室内機１００は、実施の形態３２に係る室内機１００と同様に、６つのファン２０を備えている。これら６つのファン２０は、ファン仕様（ファン形状等）が同じとなっている。また、本実施の形態３３に係る室内機１００は、ケーシング１内に仕切り板（仕切り板９０等）が設けられていない構成となっている。なお、説明の便宜上、各ファン２０を区別して説明する必要がある場合は、ケーシング１の背面側に並設されたファン２０を左側から順にファン２０Ａ、ファン２０Ｂ及びファン２０Ｃと称し、ケーシング１の前面側に並設されたファン２０を左側から順にファン２０Ｄ、ファン２０Ｅ及びファン２０Ｆと称する。
【０３０２】
しかしながら、本実施の形態３３に係る室内機１００は、前後方向に隣接するファン２０の回転方向の設定が本実施の形態３２に係る室内機１００と異なっている。つまり、ケーシング１の前後方向に並設された各ファン２０（ファン２０Ａとファン２０Ｄ、ファン２０Ｂとファン２０Ｅ、ファン２０Ｃとファン２０Ｆ）は、隣接するファン２０の回転方向が逆方向に設定されている。
【０３０３】
また、本実施の形態３３に係る室内機１００に設けられた熱交換器５０は、実施の形態３２に係る室内機１００に設けられた熱交換器５０とは異なり、上端部が１つの熱交換器５０が設けられている。つまり、ケーシング１の背面側に並設されたファン２０Ａ〜ファン２０Ｃは、熱交換器５０の背面側上端部よりも背面側に設けられ、ケーシング１の前面側に並設されたファン２０Ｄ〜ファン２０Ｆは、熱交換器５０の前面側上端部よりも前面側に設けられている。上端部が１つの熱交換器５０とは、例えば、実施の形態１や実施の形態３１等で示した右側縦断面略Λ型の熱交換器である。もちろん、右側縦断面略Λ型の熱交換器５０に限らず、上端部が１つの熱交換器５０であれば熱交換器５０の右側縦断面における形状は任意である。
【０３０４】
このように各ファン２０の回転方向を設定することにより、ケーシング１内には、図６０の白抜き矢印で示すような流れ場が発生する。つまり、左右方向に隣接するファン２０間において、領域２７ａの気流が隣接するファン２０間（図６０に縦方向の点線で示す範囲）で衝突し、そのまま下流に配置された熱交換器５０に流入することとなる。このため、左右方向に隣接するファン２０の回転方向を逆方向に設定することにより、実施の形態３１及び実施の形態３２と同様に、熱交換器５０に流入する空気の風速分布のバラツキを改善できる。したがって、左右方向に隣接するファン２０の回転方向を逆方向に設定することにより、室内機１００の圧力損失を低減でき、熱交換器５０の熱交換性能を向上することができる。
【０３０５】
また、本実施の形態３３に係る室内機１００においては、各ファン２０が熱交換器５０の上端部よりも前面側又は背面側に設けられているので、領域２７ａが熱交換器５０の上端部の上方に配置することとなる。このため、領域２７ａの気流よりも領域２７ｂの気流の方が、早い風速となる。したがって、前後方向に隣接するファン２０の回転方向を同じにしなくても、室内機１００の圧力損失を低減でき、熱交換器５０の熱交換性能を向上することができる。つまり、ケーシング１を平面視したとき、各ファン２０の設置位置を熱交換器５０の上端部からずらすことにより、前後方向に隣接するファン２０の回転方向を限定しなくとも、室内機１００の圧力損失を低減でき、熱交換器５０の熱交換性能を向上することができる。
【０３０６】
なお、ケーシング１の左右方向に沿った各ファン２０の並設方向は、ケーシング１の左右方向と厳密に平行である必要はない。各ファン２０をケーシング１の前後方向に若干ずらして配置しても勿論よい。また、ケーシング１の前後方向に沿った各ファン２０の並設方向は、ケーシング１の前後方向と厳密に平行である必要はない。各ファン２０をケーシング１の左右方向に若干ずらして配置しても勿論よい。
【０３０７】
実施の形態３４．
また、以下のようなファン２０を並設することも可能である。なお、本実施の形態３４において、特に記述しない項目については実施の形態３１〜実施の形態３３と同様とし、同一の機能や構成については同一の符号を用いて述べることとする。
【０３０８】
図６１は、本発明の実施の形態３４に係る室内機の平面断面図である。なお、この図６１は、下側が室内機１００の前面側となっている。また、図６１では、熱交換器５０の上端部のみを図示している。
【０３０９】
本実施の形態３４に係る室内機１００の基本構成は、実施の形態３１に係る室内機１００と同様である。つまり、３つのファン２０（ファン２０Ａ〜ファン２０Ｃ）がケーシング１の左右方向に並設されている。これら各ファン２０は、隣接するファン２０の回転方向が逆方向となっている。また、熱交換器５０は、右側縦断面略Λ型の熱交換器が設けられている。また、ケーシング１内に仕切り板が設けられていない構成となっている。
【０３１０】
しかしながら、本実施の形態３４に係る室内機１００は、ファン２０の仕様が実施の形態３１に係る室内機１００と異なっている。つまり、本実施の形態３４では、ファン２０毎に、仕様（例えば、羽根車の径、ボス比及び羽根の取り付け角等）が異なっている。なお、本実施の形態３４では、実施の形態３１〜実施の形態３３で示したファン２０と異なり、一方向のみに回転可能なファン２０を用いている。つまり、ファン２０Ａ及びファン２０Ｃは、室内機１００を平面視した状態において、反時計回り方向のみに回るファンを用いている。また、ファン２０Ｂは、室内機１００を平面視した状態において、時計回り方向のみに回るファンを用いている。
【０３１１】
なお、複数のファン２０のうち、一部のファン２０の仕様を同じにしても勿論よい。また、本実施の形態３４では、ケーシング１の前後方向にファン２０を並設していないが、ケーシング１の前後方向にファン２０を並設しても勿論よい。また、熱交換器５０の形状も、右側縦断面略Λ型に限らず種々の形状とすることができる。
【０３１２】
このような構成によれば、ファン２０を回転方向に応じて個別に最適設計することが可能となり、実施の形態３１〜実施の形態３３と比べ、低騒音化が可能となる。また、後述するように各ファン２０の風量や風速を個別に設定して吹出口３の風量分布や風速分布を調整する際、室内機１００の設計自由度を向上させることができる。
【０３１３】
実施の形態３５．
ファン２０を前後方向に並設する場合、例えば以下のような位置にファン２０を設置するとよい。なお、本実施の形態３５において、特に記述しない項目については実施の形態３１〜実施の形態３４と同様とし、同一の機能や構成については同一の符号を用いて述べることとする。
【０３１４】
図６２は、本発明の実施の形態３５に係る室内機の縦断面図である。ここで、図６２（ａ）は、右側縦断面略Ｗ型の熱交換器５０を備えた室内機１００を示す。また、図６２（ｂ）は、右側縦断面略Ｍ型の熱交換器５０を備えた室内機１００を示す。
本実施の形態３５に係る室内機１００は、ケーシング１の前後方向に沿って複数のファン２０が並設されている。本実施の形態３５では、ケーシング１の前後方向に沿って３つのファン２０が並設されている。なお、これら前後位置の異なるファン２０の位置に置いて、ケーシング１の左右方向（図６２の紙面直交方向）にファン２０を並設しても勿論よい。
【０３１５】
ファン２０の羽根２３の下方に熱交換器５０の上端部が配置されている場合、流速の速い空気が熱交換器５０の上端部に衝突することとなる。これにより、熱交換器５０での圧力損失が増大するとともに、熱交換器に流入する空気の風速分布にバラツキが生じる。
【０３１６】
そこで、本実施の形態３５では、ファン２０の羽根２３の下方に熱交換器５０の上端部が配置されないように、ファン２０及び熱交換器５０を配置している。
このように室内機１００を構成することにより、ファン２０の下流側の流れ（図６２の白抜き矢印）は、熱交換器５０の上端部に遮られる風路を最小限に設置することが可能となる。このため、熱交換器５０の圧力損失を低減できると共に、熱交換器５０に流入する空気の風速分布も改善することが可能となる。
【符号の説明】
【０３１７】
１  ケーシング、１ｂ  背面部、２  吸込口、３  吹出口、５  ベルマウス、５ａ  上部、５ｂ  中央部、５ｃ  下部、６  ノズル、６ａ  背面側曲線、６ｂ  前面側曲線、１０  フィルター、１５  フィンガーガード、１６  モーターステイ、１７  固定部材、１８  支持部材、２０（２０Ａ〜２０Ｆ）  ファン、２０ａ  回転軸、２０ｂ  ファン、２１  ボス、２３  羽根（主羽根）、２５  羽根車、２７ａ  領域、２７ｂ  領域、３０  ファンモーター、５０  熱交換器、５０ａ  対称線、５１  前面側熱交換器、５１ａ，５１ｂ  熱交換器、５５  背面側熱交換器、５５ａ，５５ｂ  熱交換器、５６  フィン、５７  伝熱管、７０  上下ベーン、８０  左右ベーン、９０  仕切り板、９０ａ  仕切り板、９１  仕切り板、９１ａ  上端部、９２  仕切り板、９３  吸音材、１００  室内機、１１０  前面側ドレンパン、１１１  排水路、１１１ａ  舌部、１１５  背面側ドレンパン、１１６  接続口、１１７  ドレンホース、１５１  マイクアンプ、１５２  Ａ／Ｄ変換器、１５４  Ｄ／Ａ変換器、１５５  アンプ、１５８  ＦＩＲフィルター、１５９  ＬＭＳアルゴリズム、１６１  騒音検出マイクロホン、１８１  制御スピーカー、１８４  ボックス、１８４ａ  バックチャンバー、１９１  消音効果検出マイクロホン、２０１  信号処理装置、２８１  制御装置。
【図１】
0005591336.tif 000002
【図２】
0005591336.tif 000003
【図３】
0005591336.tif 000004
【図４】
0005591336.tif 000005
【図５】
0005591336.tif 000006
【図６】
0005591336.tif 000007
【図７】
0005591336.tif 000008
【図８】
0005591336.tif 000009
【図９】
0005591336.tif 000010
【図１０】
0005591336.tif 000011
【図１１】
0005591336.tif 000012
【図１２】
0005591336.tif 000013
【図１３】
0005591336.tif 000014
【図１４】
0005591336.tif 000015
【図１５】
0005591336.tif 000016
【図１６】
0005591336.tif 000017
【図１７】
0005591336.tif 000018
【図１８】
0005591336.tif 000019
【図１９】
0005591336.tif 000020
【図２０】
0005591336.tif 000021
【図２１】
0005591336.tif 000022
【図２２】
0005591336.tif 000023
【図２３】
0005591336.tif 000024
【図２４】
0005591336.tif 000025
【図２５】
0005591336.tif 000026
【図２６】
0005591336.tif 000027
【図２７】
0005591336.tif 000028
【図２８】
0005591336.tif 000029
【図２９】
0005591336.tif 000030
【図３０】
0005591336.tif 000031
【図３１】
0005591336.tif 000032
【図３２】
0005591336.tif 000033
【図３３】
0005591336.tif 000034
【図３４】
0005591336.tif 000035
【図３５】
0005591336.tif 000036
【図３６】
0005591336.tif 000037
【図３７】
0005591336.tif 000038
【図３８】
0005591336.tif 000039
【図３９】
0005591336.tif 000040
【図４０】
0005591336.tif 000041
【図４１】
0005591336.tif 000042
【図４２】
0005591336.tif 000043
【図４３】
0005591336.tif 000044
【図４４】
0005591336.tif 000045
【図４５】
0005591336.tif 000046
【図４６】
0005591336.tif 000047
【図４７】
0005591336.tif 000048
【図４８】
0005591336.tif 000049
【図４９】
0005591336.tif 000050
【図５０】
0005591336.tif 000051
【図５１】
0005591336.tif 000052
【図５２】
0005591336.tif 000053
【図５３】
0005591336.tif 000054
【図５４】
0005591336.tif 000055
【図５５】
0005591336.tif 000056
【図５６】
0005591336.tif 000057
【図５７】
0005591336.tif 000058
【図５８】
0005591336.tif 000059
【図５９】
0005591336.tif 000060
【図６０】
0005591336.tif 000061
【図６１】
0005591336.tif 000062
【図６２】
0005591336.tif 000063